(57)【要約】      （修正有）【課題】使用者にとって快適であり、着用が容易であり、かつ使用中の使用者の移動時に、その使用位置を維持する患者接続器およびヘッドギアを提供する。【解決手段】本発明は、一実施形態として、ヘッドギア２００またはヘッドギアの一部として提供される、サイズを調整可能なヘッドストラップ２００があり、別の実施形態として、使用者の顔面上でのストラップの位置決めの改善に寄与するヘッドストラップ、またはヘッドストラップに連結する構成要素があり、別の実施形態として、使用者の顔面または顔面の皮膚と接触しないように連結器２３０を内包する、または覆うシステムがあり、別の実施形態として、特定の構成の患者接続器用の顔面取付部１１０または本体があり、さらに別の実施形態として、患者の快適性を改善するための特定の構成の患者接続器にガスを供給するためのガス流マニホルド部１２０がある。【選択図】図２Ｂ
2019162430.tif 000002
【特許請求の範囲】
【請求項１】
ベース部分と、前記ベース部分から延び、かつ使用者の鼻孔の少なくとも１つに嵌入可能な少なくとも１つの鼻突起とを有する顔面取付部と、
ガス源からのガスの流れを受け入れるガス入り口と、前記ガスの流れを前記顔面取付部の前記少なくとも１つの鼻突起に供給するガス出口とを有するガス流マニホルド部と、
を含む鼻カニューレアセンブリであって、
前記マニホルド部は、前記マニホルドの前記出口を前記顔面取付部の前記少なくとも１つの鼻突起に流体的に接続するために、前記顔面取付部の前記ベース部分によって受け入れられるように構成され、前記マニホルド部は、使用時に、使用者の人中に隣接して位置するように構成された前記ベース部分の領域において、前記顔面取付部の前記ベース部分と前記マニホルド部との間に空隙を確立し、それにより、使用時に、前記マニホルド部から前記使用者の隔壁に作用する圧力をなくす、または少なくとも軽減するための溝を前記出口においてさらに含む、鼻カニューレアセンブリ。
【請求項２】
前記ガス流マニホルド部は、前記顔面取付部よりも相対的に硬質な材料から形成される、請求項１に記載の鼻カニューレ。
【請求項３】
前記ガス流マニホルド部は、ポリカーボネートなどの実質的に剛性のプラスチック材料から形成される、請求項１または２に記載の鼻カニューレ。
【請求項４】
前記顔面取付部は、シリコーンなどの実質的に軟質のプラスチック材料から形成される、請求項１〜３のいずれか一項に記載の鼻カニューレ。
【請求項５】
前記マニホルド部の前記出口の前記溝は、前記出口の周縁の両側にある、対向する凹部の対によって形成される、請求項１〜４のいずれか一項に記載の鼻カニューレ。
【請求項６】
前記マニホルドの前記出口の前記周縁は、前記顔面取付部の前記ベース部分の内部に封止可能に係合するように構成される、請求項５に記載の鼻カニューレ。
【請求項７】
前記マニホルド部の前記出口は、前記出口の前記周縁のまわりに延びる縁部を含み、および前記ベース部分の前記内部は、前記マニホルド部の前記出口の前記縁部を解放可能に受け入れるように構成された対応する凹部を含む、請求項６に記載の鼻カニューレ。
【請求項８】
前記顔面取付部は、前記マニホルド部の前記出口を解放可能に受け入れるための、前記ベース部分の前記内部への少なくとも１つの実質的に水平の側部入り口路を含む、請求項１〜７のいずれか一項に記載の鼻カニューレ。
【請求項９】
前記顔面取付部は、前記ベース部分の前記内部への、両側にある側部入り口路の対であって、それぞれが前記マニホルド部の前記出口を解放可能に受け入れるように構成されている、両側にある側部入り口路の対を含む、請求項８に記載の鼻カニューレ。
【請求項１０】
前記顔面取付部は鼻突起の対を含む、請求項１〜９のいずれか一項に記載の鼻カニューレ。
【請求項１１】
前記顔面取付部の前記ベース部分は、前記ベース部分を前記使用者の隔壁から離して広げ、さらに、使用時に、前記隔壁に作用する圧力を軽減するへこみ領域を前記鼻突起間に含む、請求項１０に記載の鼻カニューレ。
【請求項１２】
患者接続器用のヘッドギアであって、
前記ヘッドギアの一部を形成して、患者接続器を使用者上で保持する、または安定させることを補助するストラップを含み、
顔面もしくは使用者の顔面の一部分に配置されるか、または顔面もしくは使用者の顔面の一部分に接触して置かれる前記ストラップまたは前記ストラップの一部分は、前記使用者の顔面と摩擦で係合する面領域を含み、前記面領域は、前記ヘッドギアの前記一部または一部を形成する前記ストラップの残部よりも相対的に高摩擦の面材料のものである、ヘッドギア。
【請求項１３】
前記ストラップまたは前記ストラップのそれぞれの部分は、前記使用者の顔面の両側で、２つの対称部分と摩擦で係合する２つの対称面領域を含む、請求項１２に記載のヘッドギア。
【請求項１４】
前記ストラップの残部は、顔面に接触しないストラップ、または前記使用者の顔面もしくは前記使用者の顔面の前記一部分を越えて延びるストラップの部分として延びるように構成される、請求項１２または１３に記載のヘッドギア。
【請求項１５】
前記相対的に高摩擦の面材料を含む、前記使用者の顔面または前記使用者の顔面の一部分と摩擦で係合する各面領域は、患者接続器を前記使用者の顔面上で保持する、または安定させることを補助する、請求項１２〜１４のいずれか一項に記載のヘッドギア。
【請求項１６】
各面領域は、前記ストラップまたは前記ストラップの前記それぞれの部分に付加される材料を含む、請求項１２〜１５のいずれか一項に記載のヘッドギア。
【請求項１７】
前記付加される材料は、前記ストラップまたは前記ストラップのそれぞれの部分のまわりに配置されるスリーブの形態である、請求項１６に記載のヘッドギア。
【請求項１８】
前記スリーブは、前記ストラップまたは前記ストラップの前記部分のまわりに取り外し可能に連結するように構成される、請求項１７に記載のヘッドギア。
【請求項１９】
前記ストラップまたは前記ストラップの前記それぞれの部分は、前記スリーブ内の通路を通って延びる、請求項１８に記載のヘッドギア。
【請求項２０】
前記ストラップまたは前記ストラップの前記それぞれの部分は、前記通路に通されるように構成される、請求項１９に記載のヘッドギア。
【請求項２１】
前記付加される材料は、前記ストラップまたは前記ストラップのそれぞれの部分にコーティングされた材料の形態である、請求項１６に記載のヘッドギア。
【請求項２２】
前記付加される材料は、前記ストラップまたは前記ストラップのそれぞれの部分にオーバモールドされる、請求項１６に記載のヘッドギア。
【請求項２３】
前記付加される材料は平滑であり、かつ皮膚接触した場合に快適である、請求項１５〜２２のいずれか一項に記載のヘッドギア。
【請求項２４】
前記付加される材料は熱可塑性エラストマーである、請求項１５〜２３のいずれか一項に記載のヘッドギア。
【請求項２５】
各面領域は、前記患者接続器からより離れた反対側の端部の表面部分よりも、前記患者接続器により隣接して配置される端部の表面部分の方が幅広の面である、請求項１２〜２４のいずれか一項に記載のヘッドギア。
【請求項２６】
各面領域は、前記相対的に幅広の表面部分から前記相対的に狭い表面部分まで徐々に細くなる、請求項２５に記載のヘッドギア。
【請求項２７】
前記面領域を含む前記ストラップまたは前記ストラップの各部分は、前記患者接続器に解放可能に連結するように構成された前記ストラップの構成要素をさらに含む、請求項１２〜２６のいずれか一項に記載のヘッドギア。
【請求項２８】
前記使用者の顔面の各部分には、前記使用者の頬が含まれる、請求項１２〜２７のいずれか一項に記載のヘッドギア。
【請求項２９】
鼻カニューレアセンブリおよびヘッドギアを含む患者接続器であって、
ベース部分と、前記ベース部分から延び、かつ使用者の鼻孔の少なくとも１つに嵌入可能な少なくとも１つの鼻突起とを有する顔面取付部と、
ガス源からのガスの流れを受け入れるガス入り口と、前記ガスの流れを前記顔面取付部の前記少なくとも１つの鼻突起に供給するガス出口とを有するガス流マニホルド部と、
を含む鼻カニューレアセンブリであって、前記マニホルド部は、前記マニホルドの前記出口を前記顔面取付部の前記少なくとも１つの鼻突起に流体的に接続するために、前記顔面取付部の前記ベース部分によって受け入れられるように構成され、前記マニホルド部は、使用時に、使用者の人中に隣接して位置するように構成された前記ベース部分の領域において、前記顔面取付部の前記ベース部分と前記マニホルド部との間に空隙を確立し、それにより、使用時に、前記マニホルド部から前記使用者の隔壁に作用する圧力をなくす、または少なくとも軽減するための溝を前記出口においてさらに含む、鼻カニューレアセンブリと、
患者接続器用のヘッドギアであって、
前記ヘッドギアの一部を形成して、患者接続器を使用者上で保持する、または安定させることを補助するストラップを含み、
顔面もしくは使用者の顔面の一部分に配置されるか、または顔面もしくは使用者の顔面の一部分に接触して置かれる前記ストラップまたは前記ストラップの一部分は、前記使用者の顔面と摩擦で係合する面領域を含み、前記面領域は、前記ヘッドギアの前記一部または一部を形成する前記ストラップの残部よりも相対的に高摩擦の面材料のものである、患者接続器用のヘッドギアと、
を含む患者接続器。
【発明の詳細な説明】
【技術分野】
【０００１】
本発明は、特に、それに限るものではないが、鼻カニューレなどの患者接続器と、鼻カニューレなどの患者接続器を使用者上で支持または保持するヘッドギアとによる、呼吸補助を必要とする患者への加湿ガスの供給に関する。
【背景技術】
【０００２】
使用者にとって快適であり、着用が容易であり、かつ使用中の使用者の移動時に、その使用位置を維持する患者接続器およびヘッドギアを提供することは、呼吸補助システムの設計において重要である。
【０００３】
代替の患者接続器およびヘッドギアシステムを提供することで、使用者が、使用する装置の方式またはタイプを選択するのが可能になる。快適性か、または呼吸療法による供給を改善するための、使用者上での患者接続器のより適切な保持か、またはこれらの両方に関して、そのように選択することができる。例えば、代替の保持構成または保持機構は、様々な患者接続器用の異なるヘッドギアによって実現することができる。
【０００４】
鼻カニューレを使用して、大流量の療法を提供することができる。状況によっては、小児患者が大流量療法を使用する。大流量および高湿気を供給でき、夜通し着用するのに十分に快適であり、かつ幼児の顔面に固定できる高流量の鼻カニューレ（特に、２〜１２歳群用）の市場に隙間がある。
【発明の概要】
【発明が解決しようとする課題】
【０００５】
したがって、本発明の目的は、上記の検討事項の一部またはすべてを達成するのを少なくともある程度促進するように、または少なくとも、一般の人に有益な選択をもたらすように設計された患者接続器、またはヘッドギア、またはその両方を提供することである。
【課題を解決するための手段】
【０００６】
本発明は、概略的には、小児用鼻カニューレに関する。より詳細には、本発明の特定の特徴、態様、および利点は、大流量用途用に設計された、かかるカニューレに適用される。
【０００７】
一部の構成では、低い流れ抵抗のカニューレを使用して、特に２〜１２歳の子供に対して、広い流量範囲（例えば、１０〜５０Ｌ／ｍｉｎ）にわたり、鼻に大流量を送ることができる。有利には、小児用カニューレは、家庭および病院で使用することができる。
【０００８】
一部のそのような構成では、小児用カニューレは、広い流量範囲が低い供給圧力で使用されるのを可能にする。
【０００９】
一部の構成では、小児用カニューレは、小児用カニューレを患者に固定する１つまたは複数の構造体と共に使用することができる。例えば、一部のそのような構成では、小児用カニューレは、１つまたは複数のストラップおよび接着パッチアセンブリと共に使用することができる。そのような構成では、ストラップおよび接着パッチアセンブリは、一緒に、または選択的に使用することができる。
【００１０】
第１の態様では、本発明は、概略的には、患者接続器用のヘッドギアの一部としてのストラップに関し、ヘッドギアは、
主端部部分の対を有し、各主端部部分が、患者接続器または患者接続器に連結された構成要素に連結されるストラップを含み、
各主端部部分の中間には、主端部部分間に初期長さの連続ストラップを確立するために、互いに解放可能に連結できる副端部部分の対があり、連続ストラップは、患者上で患者接続器を保持することを補助し、
各副端部部分は、初期長さと比較して延長されたストラップ長さの連続ストラップを主端部部分間に確立するために、増設ストラップセグメントのそれぞれの端部部分と解放可能に連結できるように構成される。
【００１１】
増設ストラップセグメントの各端部部分は、ストラップセグメントに連結された連結器を含み、ストラップの各副端部部分は、ストラップに連結された連結器を含むのが好ましい。
【００１２】
各ストラップセグメントの連結器は、ストラップのそれぞれの副端部部分の連結器、連結器を連結するように構成されるのが好ましい。
【００１３】
ストラップの各副端部部分の連結器は、ストラップの他方の副端部部分の連結器を連結し、増設ストラップセグメントの少なくとも１つの端部部分の連結器を連結するように構成されるのが好ましい。
【００１４】
増設ストラップセグメントの各端部部分の連結器、またはストラップの各副端部部分の連結器、またはその両方は、別のそれぞれの連結器の相補的な雄もしくは雌部で受ける、またはそれらに連結するための雄もしくは雌部またはその両方と、それぞれの連結器間の連結部を保持するための摩擦嵌め部とからなる、またはそれらを含むのが好ましい。
【００１５】
連結器は、それぞれの連結器の凹状雌部で受け入れられる、突出した雄部と、それぞれの連結器の突出した雄部を受け入れる凹状雌部とを含むのが好ましい。
【００１６】
連結器は、対応するストラップ、または対応する増設ストラップセグメントのそれぞれの終端部を受け入れて保持することができるのが好ましい。
【００１７】
連結器は、摩擦嵌め係合によって、それぞれの終端部を保持するように構成されるのが好ましい。
【００１８】
連結器は、それぞれの終端部との摩擦嵌め係合を確立するために、連結器の本体に配置された一連の内歯と、対応するストラップまたは対応する増設ストラップセグメントの終端部を歯上で確実に保持するために、歯を閉じるように構成された連結器の本体のあご部とを含むのが好ましい。
【００１９】
ストラップは弾性の繊維材料のものであるのが好ましい。
【００２０】
増設ストラップセグメントは弾性の繊維材料のものであるのが好ましい。
【００２１】
増設ストラップセグメントには、ストラップの副端部部分に解放可能に連結する単一の連続増設ストラップセグメントを形成するために、端部対端部の関係で互いに解放可能に連結できる１つまたは複数の増設ストラップセグメントが含まれるのが好ましい。
【００２２】
増設ストラップセグメントは、以下の長さ、すなわち、約２ｃｍ、約４ｃｍ、または約６ｃｍの１つまたは複数の任意の組み合わせとすることができる。
【００２３】
第２の態様では、本発明は、概略的には、患者接続器用のヘッドギアに関し、ヘッドギアは、
ヘッドギアの一部を形成して、患者接続器を使用者上で保持する、または安定させることを補助するストラップを含み、
顔面もしくは使用者の顔面の一部分に配置されるか、またはそれに接触して置かれるストラップまたはストラップの一部分は、使用者の顔面と摩擦で係合する面領域を含み、この面領域は、ヘッドギアのその一部またはある一部を形成するストラップの残部よりも相対的に高摩擦の面材料のものである。
【００２４】
ストラップまたはストラップのそれぞれの部分は、使用者の顔面の両側で、２つの対称部分と摩擦で係合する２つの対称面領域を含むのが好ましい。
【００２５】
ストラップの残部は、顔面に接触しないストラップ、または使用者の顔面もしくは使用者の顔面の一部分を越えて延びるストラップの部分として延びるように構成されるのが好ましい。
【００２６】
相対的に高摩擦の面材料を含む、使用者の顔面または使用者の顔面の一部分と摩擦で係合する各面領域は、患者接続器を使用者の顔面上で保持する、または安定させることを補助するのが好ましい。
【００２７】
各面領域は、ストラップまたはストラップのそれぞれの部分に付加される材料を含むのが好ましい。
【００２８】
第１の実施形態では、付加される材料は、ストラップまたはストラップのそれぞれの部分のまわりに配置されるスリーブの形態である。
【００２９】
スリーブは、ストラップまたはストラップの部分のまわりに取り外し可能に連結するように構成されるのが好ましい。
【００３０】
ストラップまたはストラップのそれぞれの部分は、スリーブ内の通路を通って延びるのが好ましい。
【００３１】
ストラップまたはストラップのそれぞれの部分は、通路に通されるように構成されるのが好ましい。
【００３２】
代替の実施形態では、付加される材料は、ストラップまたはストラップのそれぞれの部分にコーティングされた材料の形態である。
【００３３】
さらに別の代替実施形態では、付加される材料は、ストラップまたはストラップのそれぞれの部分にオーバモールドされる。
【００３４】
任意の実施形態では、付加される材料は平滑であり、かつ皮膚接触した場合に快適であるのが好ましい。
【００３５】
付加される材料は熱可塑性エラストマーであるのが好ましい。
【００３６】
各面領域は、患者接続器からより離れた反対側の端部の表面部分よりも、患者接続器により隣接して配置される端部の表面部分の方が幅広の面であるのが好ましい。
【００３７】
各面領域は、相対的に幅広の表面部分から相対的に狭い表面部分まで徐々に細くなるのが好ましい。
【００３８】
面領域を含むストラップまたはストラップの各部分は、患者接続器に解放可能に連結するように構成されたストラップの構成要素をさらに含むのが好ましい。
【００３９】
使用者の顔面の各部分には、使用者の頬が含まれるのが好ましい。
【００４０】
第３の態様では、本発明は、概略的には、患者接続器用のヘッドギアに関し、ヘッドギアは、
ヘッドギアの一部を形成して、患者接続器を使用者上で保持する、または安定させることを補助するストラップと、
ストラップを患者接続器に連結するための、ストラップの第１の端部部分にある第１の連結器と、
第１の連結器を内包するように構成され、使用時に、使用者の頬と連結器との間に位置して、連結器と使用者の皮膚との直接接触を最小限にするように構成された面領域を有する第１の頬係合部材と、
を含む。
【００４１】
ヘッドギアは、ストラップを患者接続器に連結するための、ストラップの反対側の第２の端部部分にある第２の連結器と、第２の連結器を内包するように構成され、使用時に、使用者の他方の頬との間に位置して、連結器と使用者の皮膚との直接接触を最小限にするように構成された面領域を有する第２の頬係合部材とをさらに含むのが好ましい。
【００４２】
各頬係合部材は、それぞれの連結器のまわりに取り外し可能に連結するように構成されるのが好ましい。
【００４３】
各頬係合部材の面領域は、それぞれの連結器の材料よりも実質的に軟質の材料を含むのが好ましい。
【００４４】
各頬係合部材の面領域は、患者接続器を使用者の顔面上で保持し、安定させることを補助するために、それぞれの連結器よりも相対的に高摩擦の面材料のものであるのが好ましい。
【００４５】
材料は熱可塑性エラストマーであるのが好ましい。
【００４６】
各頬係合部材の面領域は、患者接続器からより離れた頬部材の反対側の端部の表面部分よりも、患者接続器により隣接したそれぞれの頬係合部材の端部の表面部分の方が幅広の面であるのが好ましい。
【００４７】
各頬係合部材の面領域は、相対的に幅広の端部から相対的に狭い端部まで徐々に細くなるのが好ましい。
【００４８】
各頬係合部材は、それぞれの連結器を受け入れ可能に保持するように構成されたスリーブであるのが好ましい。
【００４９】
スリーブは、それぞれの連結器のまわりに取り外し可能に連結するように構成されるのが好ましい。
【００５０】
連結器は、スリーブ内の通路を通って延びるように構成されるのが好ましい。
【００５１】
各連結器は、使用時に、それぞれのスリーブによって、使用者の頬に隣接して位置するように構成された領域に概ね収容されるのが好ましい。
【００５２】
各スリーブは、それぞれの頬の輪郭と相補するように、少なくともスリーブの長さの一部分に沿って湾曲するのが好ましい。
【００５３】
各連結器は、それぞれの頬に隣接して位置するように構成された連結器の長さの少なくとも一部分に沿って湾曲するのが好ましい。
【００５４】
連結器は、湾曲した輪郭を予備成形されるのが好ましい。
【００５５】
各スリーブは、湾曲した輪郭を予備成形されるのが好ましい。あるいは、各スリーブは、それぞれの連結器を内包したときに湾曲する。
【００５６】
連結器は、患者接続器と解放可能に連結するためのクリップを含むのが好ましい。
【００５７】
各連結器は、使用位置に配置後、それぞれの頬係合部材と摩擦で、または機械的に係合するのが好ましい。
【００５８】
各連結器は、患者接続器の対応する側の対応する形成物を連結するように構成されるのが好ましい。
【００５９】
各連結器は、細長い本体の端部に横突起を含み、横突起は、押し込み嵌めタイプの機構によって、対応する形成物と係合するように構成されるのが好ましい。
【００６０】
細長い本体は、対応する形成物のチャネル内に受け入れられて保持されるように構成され、突起は、チャネルの出口開孔の当接面に係合するように構成されるのが好ましい。
【００６１】
チャネルは、連結器を受け入れるために、さらに、連結器が約１８０°にわたって軸のまわりに回転できるようにして、チャネルからの連結器の容易な取り出しを可能にするために、弾性変形することができるのが好ましい。
【００６２】
連結器がチャネル内で約１８０°にわたって回転すると、連結器の横突起は、チャネルの出口開孔の当接部から離れるのが好ましい。
【００６３】
第４の態様では、本発明は、概略的には、鼻カニューレに関し、鼻カニューレは、
ベース部分と、ベース部の側部から横に延びる、少なくとも１つの細長い翼部分とを有する顔面取付部と、
ベース部分から交差する方向に延び、使用者の鼻孔の少なくとも１つに嵌入可能な少なくとも１つの鼻突起と、
を含み、
各翼部分は、使用時に、使用者の顔面の一部分と接触するように構成された外側面と、使用時に、使用者の顔面上で顔面取付部を安定させることを補助するために、翼部分の、外側面とは反対の側から翼部分に沿って交差する方向に延びる、細長い隆起部とを含む。
【００６４】
顔面取付部は、ベース部の両側から横に延びる翼部分の対を含むのが好ましい。
【００６５】
顔面取付部は、使用者の各鼻孔に嵌入する鼻突起の対を含むのが好ましい。
【００６６】
各翼部分の細長い隆起部は、翼部分の上側領域に沿って延びるのが好ましい。
【００６７】
各翼部分は、使用時に、概ね使用者のそれぞれの頬に向かう方向に延びる、強化した終端部を含むのが好ましい。
【００６８】
各翼部分の終端部は、ベース部分の長手方向の向きに対して鈍角に傾けられるのが好ましい。
【００６９】
各翼部分の終端部は、ベース部分に隣接する翼部分の接触表面積よりも接触表面積が実質的に広いのが好ましい。
【００７０】
各翼部分の終端部は、外側にテーパが付いているのが好ましい。
【００７１】
各翼部分の末端部は、カニューレにあてがわれたヘッドギアの相補的連結器を解放可能に連結するように構成された形成物を含むのが好ましい。
【００７２】
各連結器は、細長い本体の端部に横突起を含み、横突起は、押し込み嵌めタイプの機構によって、対応する形成物と係合するように構成されるのが好ましい。
【００７３】
形成物は、入り口開孔および出口開孔を備えたチャネルを含み、出口開孔に当接面を有し、連結器は、チャネル内に受け入れられて保持されるように構成された細長い本体を含み、突起は、連結器をチャネル内に保持するために、チャネルの出口開孔の当接面と係合するように構成されるのが好ましい。
【００７４】
チャネルは、連結器を受け入れるために、さらに、連結器が約１８０°にわたって軸のまわりに回転できるようにして、チャネルからの連結器の容易な取り出しを可能にするために、弾性変形することができるのが好ましい。
【００７５】
連結器がチャネル内で約１８０°にわたって回転すると、連結器の横突起は、チャネルの出口開孔の当接部から離れるのが好ましい。
【００７６】
鼻カニューレは、ベース部分から翼部分の下側領域まで延び、両側に側部入り口を形成するブリッジをさらに含むのが好ましい。
【００７７】
鼻カニューレは、ガス源からのガスの流れを受け入れるガス入り口と、ガスの流れを顔面取付部の少なくとも１つの鼻突起に供給するガス出口とを有するガス流マニホルド部をさらに含み、マニホルド部は、マニホルドの出口を顔面取付部の鼻突起と流体的に接続するために、顔面取付部のいずれかの側部入り口を通って、ベース部分によって受け入れられるように構成されるのが好ましい。
【００７８】
顔面取付部は、ベース部分の内部に形成された凹部をさらに含み、ガス流マニホルド部は、出口を顔面取付部の鼻突起に流体的に接続するために、凹部と解放可能に係合するように構成された対応する縁部を出口に含むのが好ましい。
【００７９】
第５の態様では、本発明は、概略的には、鼻カニューレアセンブリに関し、鼻カニューレアセンブリは、
ベース部分と、ベース部分から延び、かつ使用者の鼻孔の少なくとも１つに嵌入可能な少なくとも１つの鼻突起とを有する顔面取付部と、
ガス源からのガスの流れを受け入れるガス入り口と、ガスの流れを顔面取付部の少なくとも１つの鼻突起に供給するガス出口とを有するガス流マニホルド部と、
を含み、マニホルド部は、マニホルドの出口を顔面取付部の少なくとも１つの鼻突起に流体的に接続するために、顔面取付部のベース部分によって受け入れられるように構成され、マニホルド部は、使用時に、使用者の人中に隣接して位置するように構成されたベース部分の領域において、顔面取付部のベース部分とマニホルド部との間に空隙を確立し、それにより、使用時に、マニホルド部から使用者の隔壁に作用する圧力をなくす、または少なくとも軽減するための溝を出口においてさらに含む。
【００８０】
ガス流マニホルド部は、顔面取付部よりも相対的に硬質な材料から形成されるのが好ましい。
【００８１】
ガス流マニホルド部は、ポリカーボネートなどの実質的に剛性のプラスチック材料から形成されるのが好ましい。
【００８２】
顔面取付部は、シリコーンなどの実質的に軟質のプラスチック材料から形成されるのが好ましい。
【００８３】
マニホルド部の出口の溝は、出口の周縁の両側にある、対向する凹部の対によって形成されるのが好ましい。
【００８４】
マニホルドの出口の周縁は、顔面取付部のベース部分の内部に封止可能に係合するように構成されるのが好ましい。
【００８５】
マニホルド部の出口は、出口の周縁のまわりに延びる縁部を含み、およびベース部分の内部は、マニホルド部の出口の縁部を解放可能に受け入れるように構成された対応する凹部を含むのが好ましい。
【００８６】
顔面取付部は、マニホルド部の出口を解放可能に受け入れるための、ベース部分の内部への少なくとも１つの実質的に水平の側部入り口路を含むのが好ましい。
【００８７】
顔面取付部は、ベース部分の内部への、両側にある側部入り口路の対であって、それぞれがマニホルド部の出口を解放可能に受け入れるように構成されている、両側にある側部入り口路の対を含むのが好ましい。
【００８８】
顔面取付部は鼻突起の対を含むのが好ましい。
【００８９】
顔面取付部のベース部分は、ベース部分を使用者の隔壁から離して広げ、さらに、使用時に、隔壁に作用する圧力を軽減するへこみ領域を鼻突起間に含むのが好ましい。
【００９０】
第６の態様では、本発明は、概略的には、第４または第５の態様の任意の組み合わせと、これらの態様の１つまたは複数の好ましい、または代替の特徴部、および／または実施形態の任意の組み合わせとによる鼻カニューレを含む患者接続器に関する。
【００９１】
第７の態様では、本発明は、概略的には、第１、第２、または第３の態様の任意の組み合わせと、これらの態様の１つまたは複数の好ましい、または代替の特徴部、および／または実施形態の任意の組み合わせとによるヘッドギアに関する。
【００９２】
ヘッドギアは、使用者の頂部を越えて延びるように構成されたヘッドバンドをさらに含むのが好ましい。
【００９３】
ヘッドギアのストラップは弾性材料から形成されるのが好ましい。
【００９４】
ヘッドギアのストラップは繊維材料から形成されるのが好ましい。
【００９５】
第８の態様では、本発明は、概略的には、呼吸補助システムに関し、呼吸補助システムは、
加湿ガスの流れを患者に供給する、第６の態様による患者接続器と、
患者接続器を患者の顔面上で保持する、第７の態様の下の好ましい特徴の任意の組み合わせを含む、第７の態様によるヘッドギアと、
を含む。
【００９６】
呼吸補助システムは、ガスの流れを発生させるように構成された人工呼吸器と、ガスの流れを加湿するために、人工呼吸器の出口に接続された加湿器とをさらに含むのが好ましい。
【００９７】
呼吸補助システムは、加湿器と患者接続器との間を接続するように構成された吸気管をさらに含むのが好ましい。
【００９８】
呼吸補助システムは、吸気管と患者接続器との間を接続するように構成された拡張チューブをさらに含むのが好ましい。
【００９９】
呼吸補助システムは、拡張チューブのまわりとヘッドギアとにつながり、それにより、チューブをヘッドギアにテザーでつなぎ、拡張チューブにかかる引張り力の少なくとも一部分を患者接続器経由からヘッドギアに移動させるように構成された保持クリップをさらに含むのが好ましい。
【０１００】
第９の態様では、本発明は、概略的には、ヘッドギアの終端部に少なくとも１つの連結器を含むヘッドギアを、連結器を受け入れて保持するための弾性変形可能な形成物を含む患者接続器から切り離す方法に関し、その方法は、
連結器の向きを変えるために、連結器を形成物内で軸のまわりに回転させるステップと、
患者接続器から連結器を切り離すために、形成物からコネクタを引き抜くステップと、を含む。
【０１０１】
連結器を回転させるステップは、連結器を軸のまわりに約１８０°回転させることを含むのが好ましい。
【０１０２】
連結器は、細長い本体と、本体から突出した横突起とを含み、患者接続器の対応する形成物は、入り口開孔および出口開孔を有するチャネルと、出口開孔の周縁の当接面とを含み、連結器を軸のまわりに回転させるステップは、当接面から突起を離すために連結器を回転させることを含み、連結器を引き抜くステップは、連結器をチャネルを介して入り口開孔から引き出すことを含むのが好ましい。
【０１０３】
ヘッドギアは、ヘッドギアの両端に連結器を含み、患者接続器は、接続器の両側に対応する形成物を含むのが好ましい。
【０１０４】
さらなる態様では、患者接続器は、鼻カニューレアセンブリおよびヘッドギアを含み、前記接続器は、
ベース部分と、ベース部分から延び、かつ使用者の鼻孔の少なくとも１つに嵌入可能な少なくとも１つの鼻突起とを有する顔面取付部と、
ガス源からのガスの流れを受け入れるガス入り口と、ガスの流れを顔面取付部の少なくとも１つの鼻突起に供給するガス出口とを有するガス流マニホルド部と、
を含む鼻カニューレアセンブリであって、マニホルド部は、マニホルドの出口を顔面取付部の少なくとも１つの鼻突起に流体的に接続するために、顔面取付部のベース部分によって受け入れられるように構成され、マニホルド部は、使用時に、使用者の人中に隣接して位置するように構成されたベース部分の領域において、顔面取付部のベース部分とマニホルド部との間に空隙を確立し、それにより、使用時に、マニホルド部から使用者の隔壁に作用する圧力をなくす、または少なくとも軽減するための溝を出口においてさらに含む、鼻カニューレアセンブリと、
患者接続器用のヘッドギアであって、
ヘッドギアの一部を形成して、患者接続器を使用者上で保持する、または安定させることを補助するストラップを含み、
顔面もしくは使用者の顔面の一部分に配置されるか、またはそれに接触して置かれるストラップまたはストラップの一部分は、使用者の顔面と摩擦で係合する面領域を含み、この面領域は、ヘッドギアのその一部またはある一部を形成するストラップの残部よりも相対的に高摩擦の面材料のものである、患者接続器用のヘッドギアと、
を含む。
【０１０５】
上記の態様によれば、上記に規定した鼻カニューレは、本明細書で説明する特徴の任意の１つまたは複数を具備する、または含むことができる。
【０１０６】
上記の態様によれば、上記に規定した患者接続器用のヘッドギアは、本明細書で説明する特徴の任意の１つまたは複数を具備する、または含むことができる。
【０１０７】
本明細書および特許請求の範囲で使用する「頬」という用語は、頬骨に位置する、または隣接する使用者の顔面上の任意の領域を意味し、頬骨の横、および／または下の任意の領域を含むことができ、かつ／あるいは使用者の対応する目、耳、および鼻間でそれらの周辺の他の任意の領域を含むことができる。
【０１０８】
接続器との関係において、本明細書で使用される「上方に」「横切って」「後方に」という用語は、（文脈から別途示されない限り）、直立した使用者が着用した場合に、接続器を通る、または接続器に対して略垂直方向、左右の水平方向、および前後の水平方向を意味する。
【０１０９】
本明細書および特許請求の範囲で使用される「〜を含む（ｃｏｍｐｒｉｓｉｎｇ）」という用語は、「少なくとも一部が〜で構成される」ことを意味する。「〜を含む」という用語を含む本明細書および特許請求の範囲の各記述を解釈する場合に、この用語を前に置かれた１つまたは複数の特徴部以外の特徴部も存在することができる。「〜を含む（ｃｏｍｐｒｉｓｅ）」および「〜を含む（ｃｏｍｐｒｉｓｅｓ）」などの関連用語も同様に解釈されるべきである。
【０１１０】
本明細書に開示した数の範囲（例えば、１〜１０）についての言及は、その範囲内のすべての有理数（例えば、１、１．１、２、３、３．９、４、５、６、６．５、７、８、９、および１０）、さらに、その範囲内の有理数の任意の範囲（例えば、２〜８、１．５〜５．５、および３．１〜４．７）についての言及を包含することを意図され、したがって、本明細書に明示的に開示したすべての範囲のすべての部分範囲が、本明細書で明示的に開示される。これらは、特に意図された単なる例であり、列挙された最低値と最高値との間の数値のすべての可能な組み合わせは、本願において同様に明示的に規定されるとみなすべきである。
【０１１１】
本明細書において、「および／または」という用語は、「および」または「または」または両方を意味する。
【０１１２】
本明細書において、名詞の複数形は、名詞の複数形および／または単数形を意味する。
【０１１３】
本発明はまた、本願の明細書で言及された、または示された部分、要素、および特徴部に、個別に、または集合的に存在し、任意の２つ以上の前記部分、要素、特徴部の任意またはすべての組み合わせに広く存在すると考えることができ、本発明が関連する技術分野で公知の均等物を有する特定の完全体が本明細書で言及され、そのような公知の均等物は、個々に説明された場合と同様に本明細書に援用されるものとする。
【０１１４】
本発明は前述の通りであり、さらに、以下に単なる例として示される構造も想定する。
【０１１５】
本発明の好ましい実施形態が、単なる例示として、図面を参照して説明される。
【図面の簡単な説明】
【０１１６】
【図１】呼吸補助システム全体の概略図である。
【図２Ａ】組み立てた状態にある本発明の好ましい形態の患者接続器および第１の好ましい形態のヘッドギアの斜視図である。
【図２Ｂ】分解した状態にある図２Ａの患者接続器およびヘッドギアの斜視図である。
【図２Ｃ】様々なストラップ伸長オプションを含む図２Ａのヘッドギアの斜視図である。
【図３Ａ】組み立てた状態にある本発明の好ましい形態の患者接続器および第２の好ましい形態のヘッドギアの斜視図である。
【図３Ｂ】分解した状態にある図３Ａの患者接続器およびヘッドギアの斜視図である。
【図４Ａ】組み立てた状態にある本発明の好ましい形態の患者接続器および第３の好ましい形態のヘッドギアの斜視図である。
【図４Ｂ】分解した状態にある図４Ａの患者接続器およびヘッドギアの斜視図である。
【図５】顔面取付部の外側から見た、本発明の好ましい形態の患者接続器の顔面取付部の斜視図である。
【図６】本発明の好ましい形態の患者接続器のガス流マニホルド部の斜視図である。
【図７】顔面取付部の内側から見た、図５の顔面取付部の斜視図である。
【図８】顔面取付部の下側から見た、図５の顔面取付部の斜視図である。
【図９】図３および図４の実施形態の患者接続器とヘッドギアとの間の連結部の拡大斜視図であり、ヘッドギアに付属する好ましい形態のスリーブを示している。
【図１０】図５の実施形態の患者接続器とヘッドギアとの間の連結の拡大斜視図であり、ヘッドギアの好ましい形態のスリーブを示している。
【図１１Ａ】本発明の呼吸補助システムの保持クリップの拡大斜視図を示している。
【図１１Ｂ】本発明の呼吸補助システムの保持クリップの拡大斜視図を示している。
【図１１Ｃ】本発明の呼吸補助システムの保持クリップの拡大斜視図を示している。
【図１２Ａ】第１および第２の好ましい形態のヘッドギアの連結器を患者接続器から取り外す、好ましい形態の方法を示している。
【図１２Ｂ】第１および第２の好ましい形態のヘッドギアの連結器を患者接続器から取り外す、好ましい形態の方法を示している。
【図１２Ｃ】第１および第２の好ましい形態のヘッドギアの連結器を患者接続器から取り外す、好ましい形態の方法を示している。
【図１３Ａ】図１２Ａの断面図を示している。
【図１３Ｂ】図１２Ｂの断面図を示している。
【図１４Ａ】第３の好ましい形態のヘッドギアの連結器を患者接続器から取り外す好ましい形態の方法を示している。
【図１４Ｂ】第３の好ましい形態のヘッドギアの連結器を患者接続器から取り外す好ましい形態の方法を示している。
【図１４Ｃ】第３の好ましい形態のヘッドギアの連結器を患者接続器から取り外す好ましい形態の方法を示している。
【図１５Ａ】図１４Ａの断面図を示している。
【図１５Ｂ】図１４Ｂの断面図を示している。
【発明を実施するための形態】
【０１１７】
本発明の患者接続器およびヘッドギアは、人工呼吸器またはガス供給器を用いた呼吸管理のための配達を改善する。
【０１１８】
患者接続器および／またはヘッドギアの好ましい形態が、大人および／または小児によって使用される院内呼吸管理システムに関連して説明される。当然のことながら、説明する患者接続器および／またはヘッドギアの実施形態は、他方でＣＰＡＰ（持続的気道陽圧）療法を実施するのに使用することもできる。
【０１１９】
同様に当然のことながら、本発明の様々な態様は、それらに限定されるものではないが、（鼻を覆う）間接鼻マスク、着用者の鼻孔に入る、または係合するノズルまたはピローを含む直接鼻鼻マスク、（口を覆う）口マスク、または（鼻および口を覆う）フルフェースマスク、およびマウスピースを含む任意の形態の患者接続器に適用することができるが、鼻カニューレに関連して説明される。同様に、本発明の様々な態様は、任意の形態のヘッドギアに適用することができるが、ヘッドストラップに関連して説明される。
【０１２０】
図１を参照すると、本発明と共に使用できる通気および加湿システム（呼吸システム１０）が示されている。そのようなシステム１０では、患者２０は、患者接続器１００を介して加湿したガスの流れを供給される。患者接続器１００は、あてがわれたヘッドギア２００を使用して、患者の顔面の使用位置に保持されている。接続器２００は、加湿ガス移送路または吸気管３０に接続されている。吸気管３０は、一端で患者接続器１００に（直接的に、または間接的に）接続され、反対側の端部で加湿器４０の出口に接続されている。好ましい実施形態では、吸気管は、拡張チューブ／管３００を介して患者接続器に接続される。加湿器４０は、好ましくは送風機５１を含むガス供給源５０から供給されたガスを受け入れて加湿する。加湿器４０は、水４２を充填された加湿チャンバ４１と、加湿器を通るガス路を加湿するために、水を加熱する加熱手段４３とを含むことができる。コントローラ５２は制御用に設けられ、場合によっては、それらに限定されるものではないが、ガスの圧力プロファイル、患者接続器でのガスの流量プロファイル、ガスの温度、および／またはガスの湿度を含む供給ガスの１つまたは複数の特性を変えることができる。当然のことながら、制御性能は、呼吸システム１０の目的および用途に応じて変わる。例えば、院内呼吸管理の好ましい用途例では、供給ガスの流量が、患者の必要性に応じて監視および制御されるが、供給ガスの圧力は必ずしも監視および制御されない。ＣＰＡＰで本発明を使用するなど、代替の実施形態では、供給ガスの圧力プロファイルが監視および制御されることがある。
【０１２１】
本発明の好ましい実施形態が、患者接続器１００およびヘッドギア２００について以下に説明される。呼吸システム１０の他の態様は、簡潔性を維持するために詳細に説明されないが、当然のことながら、これらの態様は、本発明の範囲から逸脱することなく、呼吸システム１０全体を適切に動作させるために、当技術分野で公知の望ましい形態であることができる。
【０１２２】
図２〜１１を参照すると、ヘッドギア２００および患者接続器１００の好ましい形態が示されている。実施形態は、ガス供給および加湿源（図示せず）からの呼吸ガスを患者に供給するように構成された患者接続器１００と、使用時に、患者接続器を患者の顔面に押し当てて支持および保持するように構成されたヘッドギア２００とを示している。好ましい実施形態の患者接続器１００は、鼻カニューレ１００の形態であり、鼻カニューレ１００は、吸気管３００を接続するように構成されおり、ガスの流れを患者に供給するために、患者の鼻孔内に収まるように構成された、少なくとも１つの、ただし好ましくは２つの鼻突起１１１および１１２を含む。ヘッドギア２００は、好ましくは、患者に合わせてストラップのサイズをカスタマイズするために、長さを調整可能なヘッドストラップ２００の形態である。
【０１２３】
部材３００として示すガス供給チューブは、呼吸に適したチューブであるのが好ましい。例えば、頑強で、概ね長持ちするチューブが有利である。
【０１２４】
鼻カニューレ
図２〜４を参照して、鼻カニューレ１００は、患者の鼻腔／鼻孔に大空気流量で高湿度のガス流を供給するのに適した患者接続器を患者に提供する。一部の構成では、カニューレは、広い流量範囲にわたって（例えば、好ましくは約８Ｌ／ｍｉｎとすることができ、または他の好ましい療法用途に応じて、場合によっては、１０〜５０Ｌ／ｍｉｎなど、さらに多くすることができる）大流量のガスを供給するように構成されている。一部の構成では、カニューレは、相対的に低圧のガスを供給するように構成される。
【０１２５】
鼻カニューレ１００は、少なくとも１つの、ただし、好ましくは１対の管状鼻突起１１１および１１２が一体に型成形されたか、または取り外し可能に取り付けられた顔面取付部１１０と、導管３００に取り外し可能に取り付けられたか、または一体に型成形されたガス流マニホルド部１２０とを含む。下記にさらに詳細に説明するように、ガス流マニホルド部１２０は、２つの反対の水平方向のいずれか一方から、すなわち、左側か、または右側のいずれかから顔面取付部に挿入可能である。このように、ガス流マニホルド部１２０の位置または場所は、顔面取付部１１０に対して両側に可能である。言い換えると、使用者は、どちらの側が最も便利であるかに応じて、例えば、使用者のどちらの側にガス源または人工呼吸器が配置されているかに応じて、マニホルド部１２０（および、必然的に、マニホルド部１２０から延びる導管３００）が、カニューレ１００の左側か、または右側のいずれかから延びるように選択することができる。
【０１２６】
顔面取付部１００は、シリコーンまたは当技術分野で公知の他のカニューレ材料などの、軟質で可撓性の材料から形成される。鼻突起１１１および１１２は、柔軟であるのが好ましく、場合によっては、この特性を得るために、シリコーンの十分に薄い層から形成される。
【０１２７】
ガス流マニホルド部１２０は、ポリカーボネート、高密度ポリエチレン（ＨＤＰＥ）、または当技術分野で公知の他の任意の適切なプラスチック材料などの相対的に硬質の材料から形成される。顔面取付部１１０は、ガスの流れを鼻突起１１１および１１２を介して快適に供給するために、軟質の接続構成要素を患者に提供し、一方、ガス流マニホルド部１２０は、導管３００を顔面取付部１１０の鼻突起１１１および１１２に流体的に接続する。
【０１２８】
図５〜８を参照すると、鼻突起１１１および１１２は、使用時に患者の鼻孔の中に入り、ガスが流れるための滑らかな流路を形成するように湾曲している。突起１１１および１１２の内側面は、騒音を小さくするように輪郭を形成することができる。突起１１１および１１２のベース部は、より円滑なガス流をもたらす湾曲面を含むことができる。これは、使用中の騒音レベルを下げることができる。
【０１２９】
一部の構成では、騒音を小さくするために、突起のベース部のまわりにパッドを取り付けることができる。パッドは、発泡材料または型成形可能材料とすることができ、患者の鼻の解剖学的形態に概ね一致する。代替案として、軟性クッションまたはピローを設けることもできる。
【０１３０】
鼻突起１１１および１１２は、実質的に中空であり、実質的に管状の形状である。
【０１３１】
鼻突起１１１および１１２は、その全長に沿って一定の直径であってよいが、鼻孔の輪郭に合わせた形状とされるのが好ましい。各突起１１１／１１２は、大流量のガスが腔に流入するのを促進するために、顔面取付部１１０のベース部分１１８とは反対側の末端部に細長い開口１１１ａ／１１２ａを有する。代替の実施形態では、鼻突起１１１および１１２は、広い方の端部がベース部１１８にあり、細い方の端部が開口１１１ａおよび１１２ａにある、テーパの付いた輪郭を有することができる。
【０１３２】
開口１１１ａおよび１１２ａは、ガスの流れを患者の鼻孔の上方に向けるようにくり抜くことができる。顔面取付部１１０および、特に、鼻突起１１１および１１２は、大流量の療法中に、過剰で、場合によっては有害になる圧力の蓄積を回避するために、患者の鼻孔のまわりを封止しないように設計されるのが好ましい。したがって、鼻突起１１１および１１２は、カニューレ１００と患者との間のガス路が塞がれるのを回避するために、鼻突起１１１および１１２の外側面と患者の皮膚との間に十分な隙間を維持するような大きさとされる。
【０１３３】
顔面取付部１１０は、上唇領域のまわりで患者の顔面の輪郭を概ねなぞるような形状とされる。顔面取付部１００は、カニューレが配置される顔面の領域において、使用者の顔面の輪郭に一致することができるように型成形され、または予備成形され、かつ／あるいは、前記輪郭に合う、適合する、かつ／または一致するように柔軟である。
【０１３４】
顔面取付部１１０は、鼻突起１１１および１１２が突出する起点である細長いベース部分１１８と、ベース部分１１８の両側から横に延びる２つの翼部分１１３および１１４とを含む。翼部分１１３および１１４は、ベース部分１１８と一体に形成されるが、代替案として、分離した部品であってもよい。顔面取付部１１０のベース部分１１８の内側１１９は、マニホルド部１２０の対応する出口を接続するように構成された細長い長円形凹部１１９ａを形成されている。弓形ブリッジ１１８ａは、マニホルド部１２０の出口１２３を挿入するための２つの水平な側部入り口路１２１ａおよび１２１ｂを形成するように、ベース部分１１８の中心から翼の内壁１１３ａ／１１４ａまで延びている。
【０１３５】
ガス流マニホルド部１２０は、一端に略環状の入り口１２２を有し、湾曲しながら反対側の端部の細長い長円形出口１２３に至る形状の略管状とされる。入り口１２２は、ねじ係合によるのが好ましいが、代替案として、スナップ嵌め、または当技術分野で公知の他の任意のタイプの連結によって、導管３００に、好ましくは取り外し可能に取り付けることができる。あるいは、入り口は、導管３００に固定して連結されるか、または導管３００と一体に形成される。出口１２３の形状は、顔面取付部１１０の細長い凹部１１９ａと一致し、摩擦嵌め、またはスナップ嵌め係合で顔面取付部１１０の凹部１１９ａに収まって、マニホルド１２０を顔面取付部１１０から切り離すのに、使用者または介護者によって、十分な力、または少なくとも意図した力が加えられなければならない。
【０１３６】
望ましくは、顔面取付部からのマニホルドの不意の離脱は回避されなければならない。
【０１３７】
２つの部分１１０および１２０の係合時に、出口１２３とベース部分１１８との間に効果的な封止も形成される。特に、外側リムまたは縁部１２６が出口１２３のまわりに形成され、縁部１２６は、内側凹部１１９ａの周縁のまわりの内側溝と合致し、内側溝に封止可能に収まって、マニホルド１２０の出口を顔面取付部１１０内に保持する。部分１１０および１２０の接続時、縁部１２６の上側面は、ベース部分１１８の内側面１１９ｂ／凹部１１９ａの面１１９ｂと係合して、ガスが流れる部分１１０および１２０間の効果的な封止を形成する。鼻突起１１１および１１２は、接続したときに、マニホルド出口１２３を鼻突起１１１および１１２に流体的に接続するために、ベース部分１１８の面１１９ｂを通って凹部１１９ａに延びる対応する開孔と一列に整列する。ブリッジ１１８ａは、マニホルド１２０用の入り口路１２１ａおよび１２１ｂを画定するが、マニホルド１２０を顔面取付部１１０のベース部１１８内に保持することも補助する。出口１２３と取付部１１０のブリッジ１１８ａとの間の押し込み嵌め係合機構を形成するために、対応する窪み１２８が、両側の対向する隆起１２９ａ、１２９ｂと共に、出口１２３の外側面に形成されている。
【０１３８】
顔面取付部および／または翼１１１および１１２の外側面は、患者を冷却するために、空気が唇とカニューレとの間を流れるのを容易にする、または可能にするための１つまたは複数のチャネルを含むことができる。
【０１３９】
粘着パッドが各翼１１１および１１２に設けられて、特に、幼小児（例えば、５歳未満）のために、カニューレ１００の患者への接続を容易にする。
【０１４０】
翼上の隆起部
各翼部分１１３／１１４は、顔面取付部１１０のベース部分１１８から横に延び、使用時、患者の顔面、好ましくは、少なくとも患者の顔面の上唇領域に接触し、さらにそれを若干越えて、使用者のそれぞれの頬に向かうように構成された外側面１１３ｂ／１１４ｂを含む。翼１１３および１１４の末端部１１３ｃおよび１１４ｃは、顔面取付部１１０を患者の顔面に当てて保持するために、ヘッドストラップ２００のそれぞれの端部部分２０１および２０２を解放可能に連結するように構成されている。
【０１４１】
好ましい実施形態では、各翼１１３／１１４は、翼１１３／１１４の外側面１１３ｂ／１１４ｂとは反対側の顔面取付部１１０の内側から翼１１３／１１４の全長に沿って、交差する方向に延びる一体隆起部１１５／１１６を含む。好ましい実施形態では、各隆起部１１５／１１６は、各翼１１３／１１４の外側接触面１１３ｂ／１１４ｂに対して実質的に垂直である。各隆起部１１５／１１６は、顔面取付部１１０のベース部分１１８から、それぞれの翼１１３／１１４の上側領域に沿って延びるのが好ましい。隆起部１１５／１１６は、患者の顔面に対して顔面取付部１１０を安定させ、隆起部がない場合に、鼻突起１０１および１０２を外側に、患者の鼻孔から離れる方向に曲げることがあるねじれ応力を最小限にするように機能する。長さ、厚さ、および幅（すなわち、隆起部が外側面１１３ｂ／１１４ｂから離れる方向に延びる範囲）の任意の組み合わせを含む隆起部１１５／１１６の寸法は、患者の顔面上での顔面取付部１１０の安定性を改善するのに十分でなければならない。
【０１４２】
隆起部１１５／１１６は、顔面取付部１１０のそれぞれの翼１１３／１１４にオーバモールドするか、または一体に形成することができる。
【０１４３】
強化翼
好ましい実施形態では、各翼１１３／１１４の末端部または終端部１１３ｃ／１１４ｃは、鼻突起に隣接する領域の翼１１３／１１４の接触表面積よりもかなり広い接触表面積で強化または形成される。この末端部分１１３ｃ／１１４ｃはまた、顔面取付部１１０またはベース部１１８の一般的な長手軸に対して角度をなしているのが好ましい。特に、末端部分１１３ｃ／１１４ｃは、ベース部１１８から、またはそれぞれの翼１１３／１１４のベース部に隣接する領域から離れる方向に鈍角に延び、さらに、使用時には、患者のそれぞれの頬に向かって延びる。この態様において、ヘッドストラップ２００を翼１１３および１４４の末端部分１１３ｃおよび１１４ｃに連結し、接続器１００を着用することで、患者の頬の方向で、翼１１３および１１４およびカニューレ１００に作用する力ベクトルを発生させる略Ｖ字形状の構造体が形成される。これは、患者の鼻孔内での鼻突起１１１および１１２の保持を改善する効果を有し、翼１１３および１１４の末端部１１３ｃおよび１１４ｃが、ヘッドギア２００のそれぞれの端部部分２０１および２０２によって引き寄せられた場合に、突起１１１および１１２を鼻孔内に向ける。各末端部分１１３ｃ／１１４ｃは、滑らかに曲がって、または丸みを付けられてよいし、あるいはそれぞれの翼１１３／１１４の残部に対して鋭角に、または非連続的に曲がってもよい。
【０１４４】
好ましい実施形態では、末端部分１１３ｃ／１１４ｃは、それぞれの翼１１３／１１４の接触表面積を拡大するために、さらに末端部１１３ｃ／１１４ｃを患者の頬に向かって曲げるために、外側にテーパを付けられる。
【０１４５】
末端部１１３ｃおよび１１４ｃの表面積を大きくすることで、ヘッドストラップ２００を連結する適切な連結機構を形成するための領域が付加される。好ましい実施形態では、ヘッドストラップ２００のクリップ要素をカニューレ１００の顔面取付部分１１０に解放可能に連結するために、クリップ保持体１０１および１０２が、各末端部１１３ｃ／１１４ｃに設けられる。
【０１４６】
凹状マニホルド
患者の隔壁および／または鼻柱は、通常、きわめて高感受性の領域であり、長時間にわたって過剰な接触圧がかかった場合に、不快感の原因になることがある。本発明は、患者の隔壁／鼻柱に隣接して、カニューレ１００の緩衝領域を設けることにより、この圧力を軽減または低減する。好ましい実施形態では、出口１２３は、使用時に、隔壁／鼻柱に隣接して位置する領域に窪み、またはへこみ１２７を形成するために、対向する凹部または溝１２４／１２５の対を外縁部に含む。顔面取付部分１１０に連結されると、このへこみ１２７は、ベース部分１１８とマニホルド１２０の出口１２３との間に隙間を生じさせる。使用時、この隙間は、カニューレ１００の隔壁／鼻柱に直接隣接する領域を緩衝する／柔軟にする。この隙間は、隔壁／鼻柱から硬質のマニホルド部１２０の圧力を切り離し、隔壁／鼻柱が、顔面取付部分１１０の柔軟なベース部のみに載るのを可能にする。
【０１４７】
ベース部分１１８はまた、隔壁／鼻柱における圧力を軽減するために、突起１１１および１１２間に窪みを付けた外側部分および／またはへこんだ外形１１８ｂを形成されるのが好ましい。窪みは、患者に供給される流れを（大幅に）損なうことなく、最大限にすべきである。へこんだ部分１１８ｂはまた、カニューレの２つの部分間の効果的な封止を維持するために、出口１２３の周縁に対して相補的であるのが好ましい。
【０１４８】
ヘッドストラップ
ここで図２〜４に戻って参照すると、好ましい実施形態では、患者接続器１００を患者の顔面に押し当てて保持するのに使用されるヘッドギアは、単一の長尺物であり、使用時、患者の頬に沿い、耳の上および後頭部のまわりに延びるように構成されたヘッドストラップ２００を含む。
【０１４９】
ストラップ２００の主端部部分２０１および２０２は、使用時に、カニューレ１００を所定の位置に保持するために、鼻カニューレ１００の両側のそれぞれの形成物１０１および１０２を解放可能に連結するように構成されている。
【０１５０】
好ましい実施形態では、対応する形成物１０１／１０２内に収容および保持することが可能なクリップ要素が、各端部部分２０１／２０２に設けられる。クリップ要素は、（下記にさらに詳細に説明される）２つの好ましい実施形態の１つに従って、それぞれの主端部部分でストラップに連結することができる。さらに、ヘッドストラップ２００は、ストラップを着用者の頭に合わせてカスタマイズすることを補助するために、長さを調整することができる。３つの異なるヘッドストラップ調整構造が、本発明の３つの好ましい実施形態に基づいて下記に説明される。各実施形態では、ストラップ２００は、着用者にとって快適である弾性繊維材料／布地などの軟質で伸縮性／弾性の材料から形成されるのが好ましい。あるいは、ストラップ２００は、硬質プラスチック材料などの、実質的により剛性の、またはより低い可撓性の材料から形成することができる。
【０１５１】
下記に説明する実施形態のいずれか１つでは、ヘッドギア２００は、使用時、（図１に示すように）ストラップ２００を連結して患者の頂部を越えて延びるさらなるストラップまたは他のヘッドギア要素をさらに含むことができる。頂部ストラップまたは頂部要素は、装着具合および快適性を改善するために、使用時に、ストラップ２００を患者の耳の上に引き上げるという利点を有することができる。
【０１５２】
第１の実施形態
概略的ではあるが、図２Ａ〜２Ｃも参照して、調整式ストラップ２００の第１の好ましい実施形態では、調整機構が、１つまたは複数の挿入可能な／取り外し可能なストラップセグメントまたはストラップ拡張部２２０の形態で設けられている。
【０１５３】
固定長のストラップセグメント２２０は、主ストラップ２１０の長さを延長するために、主ストラップ２１０に解放可能に連結することができる。この実施形態の主ストラップ２１０は、互いに解放可能に連結でき、さらに、ストラップセグメント２２０のそれぞれの端部２２１および２２２に解放可能に接続できる中間または副端部部分２０３／２０４の対を含む。副端部部分２０３および２０４が互いに連結された場合に、主ストラップ２１０は、着用者にとっての連続する初期長さ／サイズになっている。この初期長さを超えてストラップ２００の長さを延長するために、主ストラップ２１０は、副端部部分２０３／２０４で切り離すことができ、１つまたは複数の増設ストラップセグメント２２０が主ストラップ２１０間に連結される。
【０１５４】
調整長さを選択的にするために、所定の長さが異なる複数のストラップセグメント２２０、例えば、２２０Ａ〜２２０Ｃを用意することができる。例えば、約１ｃｍ〜約１０ｃｍの範囲内、または約２ｃｍ〜約６ｃｍの範囲内の長さを有する１つまたは複数のストラップセグメント２２０を用意することができる。ストラップセグメント２２０は、例えば、約２ｃｍ、約４ｃｍ、または約６ｃｍの長さを有する。当然のことながら、これらの例は、限定することを意図されておらず、各ストラップセグメントの長さは、使用者および／または用途によって決まる任意の寸法とすることができる。
【０１５５】
さらに、各ストラップセグメント２２０の各端部２２１／２２２は、別のストラップセグメント２２０の各端部２２１／２２２および／または主ストラップ２１０のそれぞれの副端部部分２０３／２０４に連結可能であり、それにより、使用者が、同じまたは異なる長さの１つまたは複数のストラップセグメント２２０を組み合わせて、必要／要望に応じて、延長部の全長をカスタマイズするのを可能にするのが好ましい。
【０１５６】
増設ストラップセグメントは、着用者にとって快適である弾性繊維材料／布地などの軟質で伸縮性／弾性の材料から形成されるのが好ましい。例えば、管状のニットタイプのヘッドストラップまたはヘッドストラップ２１０の部分は、特に、快適性のために、使用者の耳を覆って利用することができる。
【０１５７】
当然のことながら、特定の快適性をヘッドストラップから得ることができ、このヘッドストラップは、患者接続器を使用者の顔面上の相対的に安定した好ましい位置に適切に位置決めし、さらに、それと同時に、使用者の頭のまわりの相対的にゆるい着用具合、または低い張力の着用具合をもたらすことができる。
【０１５８】
あるいは、増設ストラップセグメントは、硬質プラスチック材料などの実質的に剛性の材料から形成することができる。
【０１５９】
ストラップ連結器２３０は、主ストラップ２１０の各副端部部分２０３／２０４およびストラップセグメント２２０のそれぞれの端部部分２０３／２０４に設けられている。
【０１６０】
各連結器２３０は、ストラップ材料に連結するために、一端にストラップ連結機構を設けられ、同様の連結器２３０のそれぞれの端部を解放可能に連結するために、反対側の端部に連結機構を設けられている。
【０１６１】
代替案では、連結器２３０は、使用者の頭のまわりで、患者接続器を所定の位置に保持するヘッドストラップ部２１０の長さまたは張力を調整するのに適した、種々の異なる形態の調整式バックルとすることができる。
【０１６２】
同様に当然のことながら、連結器２３０は、使用者の後頭部の中間点からずれるように配置することができる、または使用者の頭の片側にずらすことができる。
【０１６３】
これは、本来であれば睡眠などのいくつかの姿勢で、使用者にとって不快なものであり得る、使用者の頭の一部への衝撃を回避するために有利であり得る。
【０１６４】
さらに別の実施形態では、ストラップセグメントは、非対称になるように、または連結器２３０の位置がずれた状態で使用できることを補助するために、様々な長さとすることができる。さらに、２つのストラップセグメント２１０に関して、これらのストラップの一方は長さを調整でき、それに対して、他方は調整できないものもあり得る。例えば、一方のストラップセグメント２１０は固定長さとすることができる、または連結器２３０に恒久的に連結することができる。
【０１６５】
好ましい実施形態では、ストラップ連結機構は、ストラップのそれぞれの端部との摩擦嵌め係合を確立するために、連結器の本体内に配置された一連の内歯を含むことができる。本体のヒンジ式あご部が設けられ、ストラップの端部を歯で確実に保持するために歯を閉じる。他端の解放可能な連結機構は、雄および雌部材の対、例えば、それぞれ突起および開孔などを含み、雄および雌部材は共に、同様の連結器２３０の対応する雄および雌部材を連結するように構成されている。突起上の出っ張りは、部材間にスナップ嵌め係合を形成するように、雌部材の凹部を連結することができる。当然のことながら、代替の実施形態では、他の任意の適切な連結器構成を使用して、ストラップの副端部部分を互いに、および増設ストラップセグメントの端部部分に解放可能に連結することができる。
【０１６６】
さらに図９を参照すると、カニューレ連結器２４０が、主ストラップ２１０の主端部部分２０１および２０２に設けられている。これらの連結器２４０は、副端部部分２０３および２０４のストラップ連結器２３０と同様のストラップ連結機構を有するが、連結器２４０のストラップ端部とは反対側の端部に押し込み嵌めクリップ２４１などのクリップ部材を含む。クリップ２４１は、カニューレ１１０の側のそれぞれの形成物１０１／１０２を解放可能に連結するように構成されている。クリップ部材２４１は、ストラップに対するヒンジ式部分を形成する、プラスチック部品などの曲げ可能な部品であるのが好ましい。クリップ２４１は、例えば、平坦と２０°との間の角度をなす湾曲形状などの、その全長に沿って湾曲した形状を有するように予備成形されるのが好ましい。この湾曲は、クリップ２４１が、クリップ２４１の領域で、患者の顔面の輪郭に合致するのを可能にする。
【０１６７】
図１２Ａ〜１２Ｃおよび図１３Ａ〜１３Ｂを参照して、ヘッドストラップ２００の各連結器２４０を患者接続器１１０に対して着脱する方法が以下に説明される。各連結器２４０は、細長い連結器本体２４２と、本体２４２の終端部の横突起２４３とを有するクリップ部材２４１を含む。横突起２４３は、内側を向いた係合面２４３ａを含む。突起２４３が突出する起点である面２４５とは反対側の連結器２４０の面２４４は、実質的に平滑である、または平面状であるのが好ましい。カニューレ１１０の対応する形成物１０１／１０２は、入り口開孔１０１ｂ／１０２ｂおよび出口１０１ｃ／１０２ｃが両端にあるチャネル１０１ａ／１０２ａを含む。出口開孔１０１ｃ／１０２ｃの周壁は、クリップ部材２４１の突起２４３の面２４３ａと係合するように構成された当接部１０１ｃｉ／１０２ｃｉを画定する。入り口開孔１０１ｂ／１０２ｂの周縁１０１ｂｉ／１０２ｂｉは、本体２４２の突起２４３とは反対側の端部で、フランジ２４６と係合する当接部を画定する。これは、対応するチャネル１０１ａ／１０２ａへの連結器２４０の挿入の範囲を制限するように機能する。フランジ２４６は、ストラップ連結機構および／またはスリープ２７０の終端部によって形成することができる。
【０１６８】
図１２Ａおよび図１３Ａに示すように、連結器２４０をカニューレ１１０に連結するために、使用者は、突起２４３が出口開孔１０１ｃ／１０２ｃから突出して、対応する当接部１０１ｃｉ／１０２ｃｉと係合し、フランジ２４６が面１０１ｂｉ／１０２ｂｉと係合するときまで、突起端部２４３が先導する形で、細長い本体２４２をそれぞれのチャネル１０１ａ／１０２ａの入り口開孔１０１ｂ／１０２ｂから挿入する。横突起２４３を対応する当接部１０１ｃｉ／１０２ｃｉと係合させるために、使用者は、当接部１０１ｃｉ／１０２ｃｉを用いて突起２４３と整列させるように、連結器２４０の向きを合わせなければならない。
【０１６９】
好ましい実施形態では、当接部１０１ｃｉ／１０２ｃｉは、出口開孔１０１ｃ／１０２ｃの上側周壁にあるが、代替の実施形態では、当接部１０１ｃｉ／１０２ｃｉは、開孔１０１ｃ／１０２ｃの周壁の他の任意の部分に配置することができる。好ましい実施形態の場合、突起２４３の面２４３ａを当接部１０１ｃｉ／１０２ｃｉと係合させるために、使用者は、突起２４３を出口開孔１０１ｃ／１０２ｃの上側周壁と整列させることができる。これは、細長い本体２４２をチャネル１０１ａ／１０２ａに挿入する前または後に行うことができる。言い換えると、突起２４３が開孔１０１ｃ／１０２ｃを通ってチャネル１０１ａ／１０２ａから出たときに、面２４３ａを当接部１０２ｃｉ／１０２ｃｉと即座に係合させるために、使用者は、突起２４３を当接部１０２ｃｉ／１０２ｃｉの方向に向けて、接続器２４０を挿入することができる。または、それに代えて、使用者は、突起２４３が、当接部１０１ｃｉ／１０２ｃｉの方向とずれた、例えば、当接部１０１ｃｉ／１０２ｃｉから離れる方向に向いた、または当接部１０１ｃｉ／１０２ｃｉの方向から１８０°の方向に向いた状態で、連結器２４０を挿入し、次いで、突起２４３が開孔１０１ｃ／１０２ｃを通ってチャネル１０１ａ／１０２ａから出た後、連結器２４０を軸のまわりに回転させて、面２４３ａを当接部１０１ｃｉ／１０２ｃｉと整列および係合させることができる。
【０１７０】
突起２４３と当接部１０１ｃｉ／１０２ｃｉとの間の係合は、連結器２４０に作用する引張り力により、連結器がカニューレ１１０から不意に抜けるのを阻止する。したがって、連結器２４０および対応する形成物１０１／１０２は共に、連結器２４０をチャネル１０１ａ／１０２ａから引き戻すように作用する力に抗する特定のレベルの抵抗をもたらすように構成されている。この抵抗は、不意の離脱を防止することができ、さらに、連結器２４０の意図的な切り離しを十分に困難にする、または煩雑にすることができる。
【０１７１】
ここで図１２Ｂ、図１２Ｃ、および図１３Ｂを参照すると、余分な引抜き作業が必要とされるのを回避するために、連結器２４０をカニューレ１１０から取り外す、好ましい形態の方法は、チャネル１０１ａ／１０２ａ内の連結器２４０をその長手軸のまわりに回転させて、突起２４３を当接部１０１ｃｉ／１０２ｃｉから外し（図１２Ｂおよび図１３Ｂ）、次いで、連結器２４０を入り口開孔１０１ｂ／１０２ｂからチャネル１０１ａ／１０２ａの外に引き出す（図１２Ｃ）ことを含む。好ましい実施形態では、突起２４３は、突起をチャネル１０１ａ／１０２ａの床部または開口と整列させ、平面２４４を当接部１０１ｃｉ／１０２ｃｉおよびチャネル１０１ａ／１０２ａの上側案内壁と整列させるように、当接部１０１ｃｉ／１０２ｃｉから離れる方向に、軸のまわりに約１８０°回転される。代替の実施形態では、連結器２４０のチャネル１０１ａ／１０２ａからの取り出しに抗する抵抗力を小さくするために、突起２４３を当接部１０１ｃｉ／１０２ｃｉから十分に離す別の角度だけ、連結器２４０を軸のまわりに回転させることができる。
【０１７２】
好ましい実施形態では、形成物１０１および１０２は、かなり高い剛性の連結器２４０に比較して、弾性的に撓み可能であり、弾性的に撓み可能なカニューレ１１０と一体であるのが好ましい。したがって、着脱時に、連結器２４０を軸上でその長手軸のまわりに回転させるときに、形成物１０１／１０２のチャネル１０１ａ／１０２ａは弾性変形して回転を可能にする。
【０１７３】
第２の実施形態
図３Ａおよび図３Ｂに示す第２の好ましい形態では、単一のストラップが、調整バックル２５０を含む調整機構を設けられている。ストラップは、当技術分野で公知のように、調整バックル２５０のまわりにループを形成され、有効長を調整するために、ストラップ２１０の適切な部分を引っ張ることで、着用者によって操作される。調整バックル２５０は、使用時に、患者の後頭部に隣接して位置するストラップ２００の中央領域に配置される。
【０１７４】
この実施形態では、主端部部分２０１および２０２にあるカニューレ連結器２４０は、第１の実施形態で説明したカニューレ連結器２４０と同じ構成である。第１のヘッドギアの実施形態で上記に説明した方法と同じ、連結器２４０をカニューレ１１０に対して着脱する方法が、この実施形態に適用可能である。
【０１７５】
第３の実施形態
図４Ａおよび図４Ｂを参照して、第３の好ましい形態の調整機構では、単一のストラップが、ストラップの主端部部分２０１および２０２に、２つの調整バックル２５１および２５２を含む調整機構を設けられている。ストラップは、当技術分野で公知のように、各調整バックルのまわりにループを形成され、使用時、ストラップ２１０の有効長を調整するために、着用者によって両側で操作される。側部調整バックル２５１および２５２は、使用時に、ヘッドストラップ２００の端部２０１および２０２と患者接続器１００との間で、着用者の頬に、または頬に隣接して配置される。
【０１７６】
さらに図１０を参照すると、この実施形態では、側部バックル２５１および２５２は、カニューレ連結器２６０と一体に形成されている。連結器２６０は、カニューレ１１０の側にあるそれぞれの形成物１０１／１０２を解放可能に連結するように構成された、押し込み嵌めクリップ２６１などの細長いクリップ部材を一端に、さらに、ストラップバックル２５１／２５２を反対側の端部に含む。クリップ２６１は、使用時に、患者の上唇領域から患者の頬まで、または少なくとも患者の頬の略近くまで延びるように長くなっている。クリップ部材２６１は、ストラップに対するヒンジ式部分を形成する、プラスチック部品などの曲げ可能な部品であるのが好ましい。クリップ２６１は、例えば、平坦と２０°との間の角度をなす湾曲形状などの、その全長に沿って湾曲した形状を有するように予備成形されるのが好ましい。この湾曲は、患者接続器１００およびヘッドストラップ２００が患者によって適切に着用された場合に、クリップ２６１が、患者の顔面または頬の輪郭に合致するのを可能にする。
【０１７７】
図１４Ａ〜１４Ｃ、および図１５Ａ〜１５Ｂを参照すると、第１および第２の実施形態と同様に、連結器２６０は、細長い連結器本体２６２と、本体２６２の終端部にある横突起２６３とを有するクリップ部材２６１を含む。横突起２６３は、内側を向いた係合面２６３ａを含む。突起２６３が突出する起点である面２６５とは反対側の連結器２６０の面２６４は、実質的に平滑である、または平面状であるのが好ましい。カニューレ１１０の対応する形成物１０１／１０２は、入り口開孔１０１ｂ／１０２ｂおよび出口開孔１０１ｃ／１０２ｃが両端にあるチャネル１０１ａ／１０２ａを含む。出口開孔１０１ｃ／１０２ｃの周壁は、クリップ部材２４１の突起２４３の面２６３ａと係合するように構成された当接部１０１ｃｉ／１０２ｃｉを画定する。入り口開孔１０１ｂ／１０２ｂの周縁１０１ｂｉ／１０２ｂｉは、本体２６２の突起２６３とは反対側の端部で、フランジ２６６と係合する当接部を画定する。これは、対応するチャネル１０１ａ／１０２ａへの連結器２６０の挿入の範囲を制限するように機能する。フランジ２６６は、ストラップ連結機構および／またはスリープ２７０の終端部によって形成することができる。
【０１７８】
第１のヘッドギアの実施形態で上記に説明した方法と同じ、連結器２６０をカニューレ１１０に対して着脱する方法が、図１４Ａ〜１４Ｃおよび図１５Ａ〜１５Ｂに示すこの連結器２６０／実施形態に適用可能である。
【０１７９】
当然のことながら、上記のヘッドストラップの実施形態の任意の１つに対して、他の任意の適切な連結器構成を使用して、ストラップの主端部部分を鼻カニューレに解放可能に連結することができる。
【０１８０】
頬支持体
図２〜４、図９、および図１０を参照して、好ましい実施形態では、ヘッドストラップ２００の両側で、それぞれの主端部部分２０１／２０２に隣接する各部分は、ヘッドギアの患者接続器１００への連結時および使用後の両方において、頬骨または頬骨の下もしくは近くなどの頬の位置で、ヘッドギア２００を顔面に対して安定させるために、少なくとも、使用者の顔面と摩擦で係合する面領域２７１を含む頬支持体２７０を含む、または加えている。面領域２７０は、ストラップ２００の残部よりも相対的に高摩擦の面材料のものであるのが好ましい。
【０１８１】
高摩擦面材料２７１は、患者接続器１００を患者の顔面上で保持する、または安定させることを補助するように、使用時に、好ましくは患者の頬で、または少なくとも患者の頬の略近くで、患者の顔面の側部の一部分にわたって延びるように構成されている。高摩擦面材料は、使用者の頬に配置可能であり、さらに、ヘッドストラップ２００が目または眼窩に、あるいはその近くに架かったことに起因する、視野に対する妨害および／または不快感を防止するために、ヘッドストラップ２００の残部を使用者の目または目の眼窩から離れた状態、好ましくは、使用者の目または目の眼窩の下に延びた状態に保つのに寄与する。
【０１８２】
当然のことながら、高摩擦面材料２７１は、使用時に、患者の顔面の側部の一部分にわたって延びるように構成することができ、例えば、左右外側の上唇から、またはその上唇の近くから、またはその上唇の上から後部上方に延びて、左右の頬を横断する。
【０１８３】
好ましい形態では、摩擦面材料は、ストラップ２００のそれぞれの主端部部分２０１／２０２を受け入れるように構成された細長いスリーブ２７０の形態で形成される。スリーブ２７０は、ストラップ２００のまわりで、ストラップの主端部部分にあるストラップ２００の一部および／またはカニューレ連結器２４０／２６０を取り外し可能に連結する（または、代替案として、恒久的に連結する）ように構成されている。
【０１８４】
図２、図３、および図９を参照して、上記に説明した第１の２つの好ましい実施形態によれば、スリーブ２７０は、主端部部分２０１／２０２でストラップ２１０のまわりに、さらに、連結器２４０の一部分のまわりに連結される。ストラップ２１０は、スリーブ２７０内の通路２７２を通って延びる。ストラップ２１０は、この通路に通されるように構成され、スリーブが付いた構成にある場合に、自由に伸長する、伸縮性をもつ、または延長することができるままであるのが好ましい。連結器２４０は、使用者の皮膚との直接接触を最小限にし、それにより、ヘッドギア２００の安定快適性を改善するために、スリーブ２７０によって概ね収容される、または面領域によって覆われる。クリップ２４１は、スリーブ２７０の端部２７３から突出している。別の実施形態では、スリーブ２７０は、連結器２４０および／またはストラップ２１０にオーバモールドすることができる。
【０１８５】
図４および図１０を参照して、第３の好ましい実施形態によれば、スリーブ２７０は、主端部部分２０１／２０２でストラップ２１０から延びる連結器２６０のまわりに連結されている。この実施形態では、連結器２６０は、使用者の皮膚との直接接触を最小限にし、それにより、ヘッドギア２００の安定性および快適性を改善するために、スリーブ２７０によって概ね収容される、または面領域によって覆われる。言い換えると、連結器２６０は、スリーブ２７０の通路２７２を完全に貫通している。バックル２５１／２５２は、スリーブ２７０の端部２７４から延び、クリップ２６１は、反対側の端部２７３から延びている。
【０１８６】
スリーブ２７０は、例えば、平坦と２０°との間の角度をなす湾曲形状などの、その全長に沿って湾曲した形状を有するように予備成形することができる。この湾曲は、スリーブが、使用時に、スリーブの領域で患者の顔面または頬の輪郭に合致するのを可能にする。あるいは、スリーブ２７０は、ヘッドストラップ２００の主端部部分２０１／２０２または連結器２６０との係合時に、湾曲したスリーブの形状を取ることができる。
【０１８７】
スリーブ２７０は、使用者の顔面または顔面の皮膚と摩擦で係合するために、相対的に高摩擦の面材料の面領域を形成している。この面領域は、使用者の顔面の頬の皮膚と摩擦係合するように配置される。面領域は、少なくとも、使用者の頬の上に配置されるストラップ、またはストラップの一部分に合わせて配置される。相対的に高摩擦の面材料で形成された面領域は、平滑で、患者の皮膚に接して心地よい材料のものであるのが好ましい。したがって、スリーブ２７０または少なくとも面領域２７１は、連結器２４０および２６０よりも相対的に軟質の材料から形成される。
【０１８８】
１つの好ましい実施形態では、面領域２７１またはスリーブ２７０は、軟質の熱可塑性エラストマー（ＴＰＥ）から形成されるが、代替案として、シリコーンなどの別のプラスチック材料、または他の任意の生体適合性材料から形成することもできる。
【０１８９】
面領域２７１は、患者接続器からより離れた表面部分よりも、患者接続器により隣接した表面部分の方が幅広の面とすることができる。好ましい実施形態では、スリーブ２７０は、相対的に広い表面部分２７３から相対的に狭い表面部分２７４まで、連結器２４０／２６０と患者接続器１００との間の連結点から遠ざかる方向に先細りになっている。端部２７３でのスリーブの幅は、顔面取付部１１０の対応する翼部分１１３／１１４のテーパの付いた末端部１１３ｃ／１１４ｃの幅と同じ、または同様であるのが好ましい。これは、患者接続器１００とヘッドギア２００との間の移行部を滑らかにして、美観を改善し、視覚に訴える効果をもたらす。
【０１９０】
鼻カニューレ以外の他の形態の接続器用のヘッドギアは、使用者の顔面と摩擦係合して、マスクを頬で顔面に対して安定させるために、マスクに結合する接続器のヘッドギアのストラップの両側端にある、または両側端に隣接した、説明した通りの、または同様の頬支持体２７０を含むことができ、特に、例えば、直接型鼻マスクは、着用者の鼻孔に入る、または係合するノズルまたはピローを含む。そのようなヘッドギアは、この場合にも、使用時に、患者の頬に沿い、耳の上および後頭部のまわりに延びるように構成され、任意の適切な形態のクリップを含む端部を備えた単一のストラップを含むことができ、このクリップは、両側でマスクに連結するか、９またはマスクに恒久的に取り付けられる）。
【０１９１】
保持クリップ
図１１Ａ〜１１Ｃを参照して、好ましい実施形態では、導管３００の一部分を受け入れて収容する管状の本体２８１を含む保持クリップ２８０が用意される。フック２８２は、本体２８１から突出して、ヘッドギア２００のストラップまたは他の構成要素を連結する。この態様で、導管３００は、使用時に、ヘッドストラップ２１０またはヘッドギア２００に連結する、またはテザーでつなぐことができる。導管３００が引っ張られた場合、力はヘッドストラップ２１０に作用し、カニューレ１００に直接作用しない。この力の移動により、カニューレ１００の突起１１１および１１２が患者の鼻孔から飛び出る可能性が小さくなる。
【０１９２】
クリップ２８０を連結するための１つまたは複数の拘束点は、ヘッドギア２００上で利用可能であり、有用性を高めるために、少なくとも２つの対称拘束点が、ヘッドギアの両側にあるのが好ましい。
【０１９３】
さらに、当然のことながら、保持クリップは、部材３００として示したガス供給チューブから取り外すことができ、またはガス供給チューブに恒久的に装着することもできる。
【０１９４】
保持クリップ２８０は、（ガス供給チューブ部材３００の支持を容易にするなどのために）患者接続器の一部、例えば、相対的に高剛性の領域を形成する接続器の一部などに連結または保持することができる。
【０１９５】
保持クリップはまた、ガス供給チューブ部材３００の特定の位置に配置または固定することができ、例えば、保持クリップを所定の位置に保持する所定の位置を用意することができる。
【０１９６】
導管３００は、加熱された、または加熱されていない導管とすることができる。導管は、任意の所望する長さに延長することができる。
【０１９７】
さらなる好ましい特徴
１．カニューレは、通常、流れに対する低い抵抗を有することができる。一部の構成では、カニューレは、テーパの付いた突起を含むことができる。テーパの付いた突起は、ＰＥＥＰ（終末呼気陽圧）を改善するために鼻孔を閉鎖することができる。テーパの付いた鼻突起は、サイズが異なる患者に対して単一構造を使用することができるため、より小さいサイズを選択可能にし、さらに、使用者の鼻孔内に垂直位置で嵌入することができる。例えば、鼻孔がより大きい患者に対して、鼻突起は、鼻孔に、より深く挿入することができる。一部の構成では、鼻突起は、熱を減らすために、呼気を患者から流出させることができる。
【０１９８】
２．Ｖ字形状を強化することで、翼が離れる方向に引っ張られたときに、突起を鼻の方に傾けることを補助することができる。言い換えると、頬パッドのＶ字形状およびストラップの伸長により、鼻突起が患者に向かって引っ張られて、鼻孔に入り込むことができる。頬パッドの図示した角度により、この態様を改善する構造を得ることができる。
【０１９９】
３．カニューレが通常、ストラップまたは粘性パッド（ウィグルパッド（ｗｉｇｇｌｅ  ｐａｄ））またはそれらの両方を合わせたものによって、所定の位置に保持され得るように、二重固定法を使用することができる。ヘッドストラップは、後頭部から調整することができ、これは、調整を容易にするために、患者の頭の裏に手を伸ばすことのない、前部での調整機能が求められるほとんどの接続アセンブリと逆である。粘性パッドは、カニューレの翼に配置することができる。幼小児（例えば、５歳未満）は、粘性パッドにストラップを加えて使用し、年長児はストラップだけを使用すると想定される。
【０２００】
４．頬の圧痕を少なくする、またはなくすために、大型パッドを頬に装着することができる。パッドは、カニューレを顔面上で安定させることを補助することができる。安定化により、ロールアウト（ｒｏｌｌ  ｏｕｔ）（例えば、カニューレのねじれ）の可能性または程度を小さくすることができる。一部の構成では、カニューレは、ロールアウトの可能性または程度を小さくすると同時に、カニューレのベース部を強化するオーバモールド部片または構造部片を含むことができる。一部の構成では、カニューレは、安定化隆起部を含むことができる。一部のそのような構成では、安定化隆起部は、カニューレの上部に配置することができる。一部のそのような構成では、カニューレの上部の安定化隆起部は、突起が鼻から外に倒れる可能性を小さくする、またはなくすことができる。パッドは、裏側（すなわち、顔面に隣接する側）に柔軟な面を有することができる。
【０２０１】
５．騒音を小さくするために、突起のベース部のまわりにパッドを取り付けることができる。パッドは、突起のベース部に取り付けることができる。一部の構成では、パッドは、発泡体材料とすることができる。一部の構成では、パッドは、型成形可能材料とすることができ、患者の鼻の解剖学的形態に概ね一致する。一部の構成では、軟性クッションまたはピローを設けることができる。
【０２０２】
６．突起のベース部のまわりの面は、騒音を小さくするために輪郭を合わせることができる。一部の構成では、突起のベース部は、空気流れをより円滑にする湾曲面を含むことができる。等比例的に作図された図面で示す例示の構成は、円滑な空気流れにより、騒音レベルを下げることができる。
【０２０３】
７．使用者に対向するカニューレの面は、チャネルを含むことができる。カニューレの背面のチャネルは、患者を冷却するために、空気が唇とカニューレとの間を流れるのを容易にする、または可能にする。
【０２０４】
ここで、さらなる好ましい特徴の組み合わせが、下記の番号を付けた段落によってさらに規定される。
【０２０５】
１Ａ．患者接続器用のヘッドギアの一部としてのストラップであって、
主端部部分の対を有し、各主端部部分が、患者接続器または患者接続器に連結された構成要素に連結されるストラップを含み、
各主端部部分の中間には、主端部部分間に初期長さの連続ストラップを確立するために、互いに解放可能に連結できる副端部部分の対があり、連続ストラップは、患者上で患者接続器を保持することを補助し、
各副端部部分は、初期長さと比較して延長されたストラップ長さの連続ストラップを主端部部分間に確立するために、増設ストラップセグメントのそれぞれの端部部分と解放可能に連結できるように構成される、ストラップ。
【０２０６】
２Ａ．増設ストラップセグメントの各端部部分は、ストラップセグメントに連結された連結器を含み、ストラップの各副端部部分は、ストラップに連結された連結器を含む、主張１Ａに記載のストラップ。
【０２０７】
３Ａ．各ストラップセグメントの連結器は、ストラップのそれぞれの副端部部分の連結器、連結器を連結するように構成される、主張２Ａに記載のストラップ。
【０２０８】
４Ａ．ストラップの各副端部部分の連結器は、ストラップの他方の副端部部分の連結器を連結し、増設ストラップセグメントの少なくとも１つの端部部分の連結器を連結するように構成される、主張１Ａまたは主張２Ａに記載のストラップ。
【０２０９】
５Ａ．増設ストラップセグメントの各端部部分の連結器、またはストラップの各副端部部分の連結器、またはその両方は、別のそれぞれの連結器の相補的な雄もしくは雌部で受ける、またはそれらに連結するための雄もしくは雌部またはその両方と、それぞれの連結器間の連結部を保持するための摩擦嵌め部とからなる、またはそれらを含む、主張２Ａ〜主張４Ａのいずれか１つに記載のストラップ。
【０２１０】
６Ａ．連結器は、それぞれの連結器の凹状雌部で受け入れられる、突出した雄部と、それぞれの連結器の突出した雄部を受け入れる凹状雌部とを含む、主張５Ａに記載のストラップ。
【０２１１】
７Ａ．連結器は、対応するストラップ、または対応する増設ストラップセグメントのそれぞれの終端部を受け入れて保持することができる、主張５Ａまたは主張６Ａに記載のストラップ。
【０２１２】
８Ａ．連結器は、摩擦嵌め係合によって、それぞれの終端部を保持するように構成される、主張７Ａに記載のストラップ。
【０２１３】
９Ａ．連結器は、それぞれの終端部との摩擦嵌め係合を確立するために、連結器の本体に配置された一連の内歯と、対応するストラップまたは対応する増設ストラップセグメントの終端部を歯で確実に保持するために、歯を閉じるように構成された連結器の本体のあご部とを含む、主張８Ａに記載のストラップ。
【０２１４】
１０Ａ．ストラップは弾性の繊維材料のものである、上記主張のいずれか１つに記載のストラップ。
【０２１５】
１１Ａ．増設ストラップセグメントは弾性の繊維材料のものである、上記主張のいずれか１つに記載のストラップ。
【０２１６】
１２Ａ．増設ストラップセグメントには、ストラップの副端部部分に解放可能に連結する単一の連続増設ストラップセグメントを形成するために、端部対端部の関係で互いに解放可能に連結できる１つまたは複数の増設ストラップセグメントが含まれる、上記主張のいずれか１つに記載のストラップ。
【０２１７】
１３Ａ．増設ストラップセグメントは、以下の長さ、すなわち、約２ｃｍ、約４ｃｍ、または約６ｃｍの１つまたは複数の任意の組み合わせである、上記主張のいずれか１つに記載のストラップ。
【０２１８】
１Ｂ．患者接続器用のヘッドギアであって、
ヘッドギアの一部を形成して、患者接続器を使用者上で保持する、または安定させることを補助するストラップを含み、
顔面もしくは使用者の顔面の一部分に配置されるか、またはそれに接触して置かれるストラップまたはストラップの一部分は、使用者の顔面と摩擦で係合する面領域を含み、この面領域は、ヘッドギアのその一部またはある一部を形成するストラップの残部よりも相対的に高摩擦の面材料のものである、ヘッドギア。
【０２１９】
２Ｂ．ストラップまたはストラップのそれぞれの部分は、使用者の顔面の両側で、２つの対称部分と摩擦で係合する２つの対称面領域を含む、主張１Ｂに記載のヘッドギア。
【０２２０】
３Ｂ．ストラップの残部は、顔面に接触しないストラップ、または使用者の顔面もしくは使用者の顔面の一部分を越えて延びるストラップの部分として延びるように構成される、主張１Ｂまたは主張２Ｂに記載のヘッドギア。
【０２２１】
４Ｂ．相対的に高摩擦の面材料を含む、使用者の顔面または使用者の顔面の一部分と摩擦で係合する各面領域は、患者接続器を使用者の顔面上で保持する、または安定させることを補助する、主張１Ｂまたは主張３Ｂに記載のヘッドギア。
【０２２２】
５Ｂ．各面領域は、ストラップまたはストラップのそれぞれの部分に付加される材料を含む、主張１Ｂ〜主張４Ｂのいずれか１つに記載のヘッドギア。
【０２２３】
６Ｂ．付加される材料は、ストラップまたはストラップのそれぞれの部分のまわりに配置されるスリーブの形態である、主張５Ｂに記載のヘッドギア。
【０２２４】
７Ｂ．スリーブは、ストラップまたはストラップの部分のまわりに取り外し可能に連結するように構成される、主張６Ｂに記載のヘッドギア。
【０２２５】
８Ｂ．ストラップまたはストラップのそれぞれの部分は、スリーブ内の通路を通って延びる、主張７Ｂに記載のヘッドギア。
【０２２６】
９Ｂ．ストラップまたはストラップのそれぞれの部分は、通路に通されるように構成される、主張８Ｂに記載のヘッドギア。
【０２２７】
１０Ｂ．付加される材料は、ストラップまたはストラップのそれぞれの部分にコーティングされた材料の形態である、主張５Ｂに記載のヘッドギア。
【０２２８】
１１Ｂ．付加される材料は、ストラップまたはストラップのそれぞれの部分にオーバモールドされる、主張５Ｂに記載のヘッドギア。
【０２２９】
１２Ｂ．付加される材料は平滑であり、かつ皮膚接触した場合に快適である、主張４Ｂ〜主張１１Ｂのいずれか１つに記載のヘッドギア。
【０２３０】
１３Ｂ．付加される材料は熱可塑性エラストマーである、主張４Ｂ〜主張１２Ｂのいずれか１つに記載のヘッドギア。
【０２３１】
１４Ｂ．各面領域は、患者接続器からより離れた反対側の端部の表面部分よりも、患者接続器により隣接して配置される端部の表面部分の方が幅広の面である、主張１Ｂ〜主張１３Ｂのいずれか１つに記載のヘッドギア。
【０２３２】
１５Ｂ．各面領域は、相対的に幅広の表面部分から相対的に狭い表面部分まで徐々に細くなる、主張１４Ｂに記載のヘッドギア。
【０２３３】
１６Ｂ．面領域を含むストラップまたはストラップの各部分は、患者接続器に解放可能に連結するように構成されたストラップの構成要素をさらに含む、主張１Ｂ〜主張１５Ｂのいずれか１つに記載のヘッドギア。
【０２３４】
１７Ｂ．使用者の顔面の各部分には、使用者の頬が含まれる、主張１Ｂ〜主張１６Ｂのいずれか１つに記載のヘッドギア。
【０２３５】
１Ｃ．患者接続器用のヘッドギアであって、
ヘッドギアの一部を形成して、患者接続器を使用者上で保持する、または安定させることを補助するストラップと、
ストラップを患者接続器に連結するための、ストラップの第１の端部部分にある第１の連結器と、
第１の連結器を内包するように構成され、使用時に、使用者の頬と連結器との間に位置して、連結器と使用者の皮膚との直接接触を最小限にするように構成された面領域を有する第１の頬係合部材と、
を含む、ヘッドギア。
【０２３６】
２Ｃ．ストラップを患者接続器に連結するための、ストラップの反対側の第２の端部部分にある第２の連結器と、第２の連結器を内包するように構成され、使用時に、使用者の他方の頬との間に位置して、連結器と使用者の皮膚との直接接触を最小限にするように構成された面領域を有する第２の頬係合部材とをさらに含む、主張１Ｃに記載のヘッドギア。
【０２３７】
３Ｃ．各頬係合部材は、それぞれの連結器のまわりに取り外し可能に連結するように構成される、主張１Ｃまたは主張２Ｃに記載のヘッドギア。
【０２３８】
４Ｃ．各頬係合部材の面領域は、それぞれの連結器の材料よりも実質的に軟質の材料を含む、主張１Ｃ〜主張３Ｃのいずれか１つに記載のヘッドギア。
【０２３９】
５Ｃ．各頬係合部材の面領域は、患者接続器を使用者の顔面上で保持し、安定させることを補助するために、それぞれの連結器よりも相対的に高摩擦の面材料のものである、主張１Ｃ〜主張４Ｃのいずれか１つに記載のヘッドギア。
【０２４０】
６Ｃ．材料は熱可塑性エラストマーである、主張４Ｃまたは主張５Ｃに記載のヘッドギア。
【０２４１】
７Ｃ．各頬係合部材の面領域は、患者接続器からより離れた頬部材の反対側の端部の表面部分よりも、患者接続器により隣接したそれぞれの頬係合部材の端部の表面部分の方が幅広の面である、主張１Ｃ〜主張６Ｃのいずれか１つに記載のヘッドギア。
【０２４２】
８Ｃ．各頬係合部材の面領域は、相対的に幅広の端部から相対的に狭い端部まで徐々に細くなる、主張８Ｃに記載のヘッドギア。
【０２４３】
９Ｃ．各頬係合部材は、それぞれの連結器を受け入れ可能に保持するように構成されたスリーブである、主張１Ｃ〜主張８Ｃのいずれか１つに記載のヘッドギア。
【０２４４】
１０Ｃ．スリーブは、それぞれの連結器のまわりに取り外し可能に連結するように構成される、主張９Ｃに記載のヘッドギア。
【０２４５】
１１Ｃ．連結器は、スリーブ内の通路を通って延びるように構成される、主張９Ｃまたは主張１０Ｃに記載のヘッドギア。
【０２４６】
１２Ｃ．各連結器は、使用時に、それぞれのスリーブによって、使用者の頬に隣接して位置するように構成された領域に概ね収容される、主張９Ｃ〜主張１１Ｃのいずれか１つに記載のヘッドギア。
【０２４７】
１３Ｃ．各スリーブは、それぞれの頬の輪郭と相補するように、少なくともスリーブの長さの一部分に沿って湾曲する、主張９Ｃ〜主張１２Ｃのいずれか１つに記載のヘッドギア。
【０２４８】
１４Ｃ．各連結器は、それぞれの頬に隣接して位置するように構成された連結器の長さの少なくとも一部分に沿って湾曲する、主張９Ｃ〜主張１３Ｃのいずれか１つに記載のヘッドギア。
【０２４９】
１５Ｃ．連結器は、湾曲した輪郭を予備成形される、主張１４Ｃに記載のヘッドギア。
【０２５０】
１６Ｃ．各スリーブは、湾曲した輪郭を予備成形される、主張１３Ｃ〜主張１５Ｃのいずれか１つに記載のヘッドギア。
【０２５１】
１７Ｃ．各スリーブは、それぞれの連結器を内包したときに湾曲する、主張１３Ｃ〜主張１５Ｃのいずれか１つに記載のヘッドギア。
【０２５２】
１８Ｃ．連結器は、患者接続器と解放可能に連結するためのクリップを含む、主張１Ｃ〜主張１７Ｃのいずれか１つに記載のヘッドギア。
【０２５３】
１９Ｃ．各連結器は、使用位置に配置後、それぞれの頬係合部材と摩擦で、または機械的に係合する、主張１Ｃ〜主張１８Ｃのいずれか１つに記載のヘッドギア。
【０２５４】
１Ｄ．ベース部分と、ベース部の側部から横に延びる、少なくとも１つの細長い翼部分とを有する顔面取付部と、
ベース部分から横断方向に延び、使用者の鼻孔の少なくとも１つに嵌入可能な少なくとも１つの鼻突起と、
を含む、鼻カニューレであって、
各翼部分は、使用時に、使用者の顔面の一部分と接触するように構成された外側面と、使用時に、使用者の顔面上で顔面取付部を安定させることを補助するために、翼部分の、外側面とは反対の側から翼部分に沿って交差する方向に延びる、細長い隆起部とを含む、鼻カニューレ。
【０２５５】
２Ｄ．顔面取付部は、ベース部の両側から横に延びる翼部分の対を含む、主張１Ｄに記載の鼻カニューレ。
【０２５６】
３Ｄ．顔面取付部は、使用者の各鼻孔に嵌入する鼻突起の対を含む、主張１Ｄまたは主張２Ｄに記載の鼻カニューレ。
【０２５７】
４Ｄ．各翼部分の細長い隆起部は、翼部分の上側領域に沿って延びる、主張１Ｄ〜主張３Ｄのいずれか１つに記載の鼻カニューレ。
【０２５８】
５Ｄ．各翼部分は、使用時に、概ね使用者のそれぞれの頬に向かう方向に延びる、強化した終端部を含む、主張１Ｄ〜主張４Ｄのいずれか１つに記載の鼻カニューレ。
【０２５９】
６Ｄ．各翼部分の終端部は、ベース部分の長手方向の向きに対して鈍角に傾けられる、主張５Ｄに記載の鼻カニューレ。
【０２６０】
７Ｄ．各翼部分の終端部は、ベース部分に隣接する翼部分の接触表面積よりも接触表面積が実質的に広い、主張６Ｄまたは主張７Ｄのいずれか１つに記載の鼻カニューレ。
【０２６１】
８Ｄ．各翼部分の終端部は、外側にテーパが付いている、主張７Ｄに記載の鼻カニューレ。
【０２６２】
９Ｄ．各翼部分の末端部は、カニューレにあてがわれたヘッドギアの相補的連結器を解放可能に連結するように構成された形成物を含む、主張１Ｄ〜主張８Ｄのいずれか１つに記載の鼻カニューレ。
【０２６３】
１０Ｄ．ベース部分から翼部分の下側領域まで延び、両側に側部入り口を形成するブリッジをさらに含む、主張１Ｄ〜主張９Ｄのいずれか１つに記載の鼻カニューレ。
【０２６４】
１１Ｄ．ガス源からのガスの流れを受け入れるガス入り口と、ガスの流れを顔面取付部の少なくとも１つの鼻突起に供給するガス出口とを有するガス流マニホルド部をさらに含み、マニホルド部は、マニホルドの出口を顔面取付部の鼻突起と流体的に接続するために、顔面取付部のいずれかの側部入り口を通って、ベース部分によって受け入れられるように構成される、主張１０Ｄに記載の鼻カニューレ。
【０２６５】
１２Ｄ．顔面取付部は、ベース部分の内部に形成された凹部をさらに含み、ガス流マニホルド部は、出口を顔面取付部の鼻突起に流体的に接続するために、凹部と解放可能に係合するように構成された対応する縁部を出口に含む、主張１１Ｄに記載の鼻カニューレ。
【０２６６】
１Ｅ．ベース部分と、ベース部分から延び、かつ使用者の鼻孔の少なくとも１つに嵌入可能な少なくとも１つの鼻突起とを有する顔面取付部と、
ガス源からのガスの流れを受け入れるガス入り口と、ガスの流れを顔面取付部の少なくとも１つの鼻突起に供給するガス出口とを有するガス流マニホルド部と、
を含む、鼻カニューレアセンブリであって、
マニホルド部は、マニホルドの出口を顔面取付部の少なくとも１つの鼻突起に流体的に接続するために、顔面取付部のベース部分によって受け入れられるように構成され、マニホルド部は、使用時に、使用者の人中に隣接して位置するように構成されたベース部分の領域において、顔面取付部のベース部分とマニホルド部との間に空隙を確立し、それにより、使用時に、マニホルド部から使用者の隔壁に作用する圧力をなくす、または少なくとも軽減するための溝を出口においてさらに含む、鼻カニューレアセンブリ。
【０２６７】
２Ｅ．ガス流マニホルド部は、顔面取付部よりも相対的に硬質な材料から形成される、主張１Ｅに記載の鼻カニューレ。
【０２６８】
３Ｅ．ガス流マニホルド部は、ポリカーボネートなどの実質的に剛性のプラスチック材料から形成される、主張１Ｅまたは主張２Ｅに記載の鼻カニューレ。
【０２６９】
４Ｅ．顔面取付部は、シリコーンなどの実質的に軟質のプラスチック材料から形成される、主張１Ｅ〜主張３Ｅのいずれか１つに記載の鼻カニューレ。
【０２７０】
５Ｅ．マニホルド部の出口の溝は、出口の周縁の両側にある、対向する凹部の対によって形成される、主張１Ｅ〜主張４Ｅのいずれか１つに記載の鼻カニューレ。
【０２７１】
６Ｅ．マニホルドの出口の周縁は、顔面取付部のベース部分の内部に封止可能に係合するように構成される、主張５Ｅに記載の鼻カニューレ。
【０２７２】
７Ｅ．マニホルド部の出口は、出口の周縁のまわりに延びる縁部を含み、およびベース部分の内部は、マニホルド部の出口の縁部を解放可能に受け入れるように構成された対応する凹部を含む、主張６Ｅに記載の鼻カニューレ。
【０２７３】
８Ｅ．顔面取付部は、マニホルド部の出口を解放可能に受け入れるための、ベース部分の内部への少なくとも１つの実質的に水平の側部入り口路を含む、主張１Ｅ〜主張７Ｅのいずれか１つに記載の鼻カニューレ。
【０２７４】
９Ｅ．顔面取付部は、ベース部分の内部への、両側にある側部入り口路の対であって、それぞれがマニホルド部の出口を解放可能に受け入れるように構成されている、両側にある側部入り口路の対を含む、主張８Ｅに記載の鼻カニューレ。
【０２７５】
１０Ｅ．顔面取付部は鼻突起の対を含む、主張１Ｅ〜主張９Ｅのいずれか１つに記載の鼻カニューレ。
【０２７６】
１１Ｅ．顔面取付部のベース部分は、ベース部分を使用者の隔壁から離して広げ、さらに、使用時に、隔壁に作用する圧力を軽減するへこみ領域を鼻突起間に含む、主張１０Ｅに記載の鼻カニューレ。
【０２７７】
１Ｆ．主張１Ｄ〜主張１２Ｄのいずれか１つ、または主張１Ｅ〜主張１１Ｅのいずれか１つ、またはそれらの任意の組み合わせに記載の鼻カニューレを含む患者接続器。
【０２７８】
２Ｆ．主張１Ａ〜主張１３Ａ、または主張１Ｂ〜主張１７Ｂ、または主張１Ｃ〜主張１９Ｃのいずれか１つ、あるいはそれらの任意の組み合わせに記載のヘッドギア。
【０２７９】
３Ｆ．使用者の頂部を越えて延びるように構成されたヘッドバンドをさらに含む、主張２Ｆに記載のヘッドギア。
【０２８０】
４Ｆ．ヘッドギアのストラップは弾性材料から形成される、主張１Ｆまたは主張２Ｆのいずれか１つに記載のヘッドギア。
【０２８１】
５Ｆ．ヘッドギアのストラップは繊維材料から形成される、主張２Ｆ〜主張４Ｆのいずれか１つに記載のヘッドギア。
【０２８２】
６Ｆ．加湿ガスの流れを患者に供給する、主張１Ｆに記載の患者接続器と、
患者接続器を患者の顔面上で保持する、主張２Ｆ〜主張５Ｆのいずれか１つに記載のヘッドギアと、
を含む、呼吸補助システム。
【０２８３】
７Ｆ．ガスの流れを発生させるように構成された人工呼吸器と、ガスの流れを加湿するために、人工呼吸器の出口に接続された加湿器とをさらに含む、主張６Ｆに記載の呼吸補助システム。
【０２８４】
８Ｆ．加湿器と患者接続器との間を接続するように構成された吸気管をさらに含む、主張７Ｆに記載の呼吸補助システム。
【０２８５】
９Ｆ．吸気管と患者接続器との間を接続するように構成された拡張チューブをさらに含む、主張８Ｆに記載の呼吸補助システム。
【０２８６】
１０Ｆ．拡張チューブのまわりとヘッドギアとにつながり、それにより、チューブをヘッドギアにテザーでつなぎ、拡張チューブにかかる引張り力の少なくとも一部分を患者接続器経由からヘッドギアに移動させるように構成された保持クリップをさらに含む、主張９Ｆに記載の呼吸補助システム。
【０２８７】
１Ｇ．ヘッドギアの終端部に少なくとも１つの連結器を含むヘッドギアを、連結器を受け入れて保持するための弾性変形可能な形成物を含む患者接続器から切り離す方法であって、
連結器の向きを変えるために、連結器を形成物内で軸のまわりに回転させるステップと、
患者接続器から連結器を切り離すために、形成物からコネクタを引き抜くステップと、を含む方法。
【０２８８】
２Ｇ．連結器を回転させるステップは、連結器を軸のまわりに約１８０°回転させることを含む、主張１Ｇに記載の方法。
【０２８９】
３Ｇ．連結器は、細長い本体と、本体から突出した横突起とを含み、患者接続器の対応する形成物は、入り口開孔および出口開孔を有するチャネルと、出口開孔の周縁の当接面とを含み、連結器を軸のまわりに回転させるステップは、当接面から突起を離すために連結器を回転させることを含み、連結器を引き抜くステップは、連結器をチャネルを介して入り口開孔から引き出すことを含む、主張１Ｇまたは主張２Ｇに記載の方法。
【０２９０】
４Ｇ．ヘッドギアは、ヘッドギアの両端に連結器を含み、患者接続器は、接続器の両側に対応する形成物を含む、主張１Ｇ〜主張３Ｇのいずれか１つに記載の方法。
【０２９１】
本発明の前述の説明は、本発明の好ましい形態を含む。添付の特許請求の範囲によって規定される本発明の範囲から逸脱することなく、好ましい形態に対して修正を行うことができる。
【図１】
2019162430.tif 000003
【図２Ａ】
2019162430.tif 000004
【図２Ｂ】
2019162430.tif 000005
【図２Ｃ】
2019162430.tif 000006
【図３Ａ】
2019162430.tif 000007
【図３Ｂ】
2019162430.tif 000008
【図４Ａ】
2019162430.tif 000009
【図４Ｂ】
2019162430.tif 000010
【図５】
2019162430.tif 000011
【図６】
2019162430.tif 000012
【図７】
2019162430.tif 000013
【図８】
2019162430.tif 000014
【図９】
2019162430.tif 000015
【図１０】
2019162430.tif 000016
【図１１Ａ】
2019162430.tif 000017
【図１１Ｂ】
2019162430.tif 000018
【図１１Ｃ】
2019162430.tif 000019
【図１２Ａ】
2019162430.tif 000020
【図１２Ｂ】
2019162430.tif 000021
【図１２Ｃ】
2019162430.tif 000022
【図１３Ａ】
2019162430.tif 000023
【図１３Ｂ】
2019162430.tif 000024
【図１４Ａ】
2019162430.tif 000025
【図１４Ｂ】
2019162430.tif 000026
【図１４Ｃ】
2019162430.tif 000027
【図１５Ａ】
2019162430.tif 000028
【図１５Ｂ】
2019162430.tif 000029
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
ベース部分と、前記ベース部分から延び、かつ使用者の鼻孔の少なくとも１つに嵌入可能な少なくとも１つの鼻突起とを有する顔面取付部と、
ガス源からのガスの流れを受け入れるガス入り口と、前記ガスの流れを前記顔面取付部の前記少なくとも１つの鼻突起に供給するガス出口とを有するガス流マニホルド部と、
を含む鼻カニューレアセンブリであって、
前記マニホルド部は、前記マニホルドの前記出口を前記顔面取付部の前記少なくとも１つの鼻突起に流体的に接続するために、前記顔面取付部の前記ベース部分によって受け入れられるように構成され、前記マニホルド部は、使用時に、使用者の人中に隣接して位置するように構成された前記ベース部分の領域において、前記顔面取付部の前記ベース部分と前記マニホルド部との間に空隙を確立し、それにより、使用時に、前記マニホルド部から前記使用者の隔壁に作用する圧力をなくす、または少なくとも軽減するための溝を前記出口においてさらに含む、鼻カニューレアセンブリ。
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
患者接続器用のヘッドギアであって、
該ヘッドギアの一部を形成して、患者接続器を使用者上で保持する、または安定させることを補助するストラップを含み、
顔面もしくは使用者の顔面の一部分に配置されるか、またはそれに接触して置かれるストラップまたはストラップの一部分は、使用者の顔面と摩擦で係合する面領域を含み、この面領域は、該ヘッドギアのその一部またはある一部を形成する前記ストラップの残部よりも相対的に高摩擦の面材料のものであり、
前記面領域は、前記患者接続器からより離れた表面部分よりも、前記患者接続器により隣接した表面部分の方が幅広の面である、ヘッドギア。
【請求項２】
前記ストラップまたはストラップのそれぞれの部分は、前記使用者の顔面の両側で、２つの対称部分と摩擦で係合する２つの対称面領域を含む、請求項１に記載のヘッドギア。
【請求項３】
前記ストラップの残部は、顔面に接触しないストラップ、または前記使用者の顔面もしくは前記使用者の顔面の一部分を越えて延びるストラップの部分として延びるように構成される、請求項１または請求項２に記載のヘッドギア。
【請求項４】
相対的に高摩擦の面材料を含む、前記使用者の顔面または前記使用者の顔面の一部分と摩擦で係合する各面領域は、患者接続器を前記使用者の顔面上で保持する、または安定させることを補助する、請求項１〜請求項３のいずれか１項に記載のヘッドギア。
【請求項５】
各面領域は、前記ストラップまたはストラップのそれぞれの部分に付加される材料を含む、請求項１〜請求項４のいずれか１項に記載のヘッドギア。
【請求項６】
前記付加される材料は、前記ストラップまたはストラップのそれぞれの部分のまわりに配置されるスリーブの形態である、請求項５に記載のヘッドギア。
【請求項７】
前記スリーブは、前記ストラップまたは前記ストラップの部分のまわりに取り外し可能に連結するように構成される、請求項６に記載のヘッドギア。
【請求項８】
前記ストラップまたは前記ストラップのそれぞれの部分は、前記スリーブ内の通路を通って延びる、請求項７に記載のヘッドギア。
【請求項９】
前記ストラップまたは前記ストラップのそれぞれの部分は、前記通路に通されるように構成される、請求項８に記載のヘッドギア。
【請求項１０】
前記付加される材料は、前記ストラップまたは前記ストラップのそれぞれの部分にコーティングされた材料の形態である、請求項５に記載のヘッドギア。
【請求項１１】
前記付加される材料は、前記ストラップまたは前記ストラップのそれぞれの部分にオーバモールドされる、請求項５に記載のヘッドギア。
【請求項１２】
前記付加される材料は平滑であり、かつ皮膚接触した場合に快適である、請求項４〜請求項１１のいずれか１項に記載のヘッドギア。
【請求項１３】
前記付加される材料は熱可塑性エラストマーである、請求項４〜請求項１２のいずれか１項に記載のヘッドギア。
【請求項１４】
各面領域は、前記患者接続器からより離れた反対側の端部の表面部分よりも、前記患者接続器により隣接して配置される端部の表面部分の方が幅広の面である、請求項１〜請求項１３のいずれか１項に記載のヘッドギア。
【請求項１５】
各面領域は、相対的に幅広の表面部分から相対的に狭い表面部分まで徐々に細くなる、請求項１４に記載のヘッドギア。
【請求項１６】
面領域を含む前記ストラップまたは前記ストラップの各部分は、前記患者接続器に解放可能に連結するように構成された前記ストラップの構成要素をさらに含む、請求項１〜請求項１５のいずれか１項に記載のヘッドギア。
【請求項１７】
前記使用者の顔面の各部分には、前記使用者の頬が含まれる、請求項１〜請求項１６のいずれか１項に記載のヘッドギア。
【請求項１８】
前記ストラップは、管状のニットタイプのストラップである、請求項１〜請求項１７のいずれか１項に記載のヘッドギア。
【請求項１９】
前記ストラップの長さは調整可能である、請求項１〜請求項１８のいずれか１項に記載のヘッドギア。
【請求項２０】
鼻カニューレアセンブリと、請求項１〜請求項１９のいずれか１項に記載のヘッドギアを備える、患者接続器。
【請求項２１】
前記鼻カニューレアセンブリは、
ベース部分と、前記ベース部分から延び、かつ使用者の鼻孔の少なくとも１つに嵌入可能な少なくとも１つの鼻突起とを有する顔面取付部と、
ガス源からのガスの流れを受け入れるガス入り口と、前記ガスの流れを前記顔面取付部の少なくとも１つの鼻突起に供給するガス出口とを有するガス流マニホルド部と、
を含み、
前記マニホルド部は、前記マニホルドの前記出口を前記顔面取付部の少なくとも１つの鼻突起に流体的に接続するために、前記顔面取付部の前記ベース部分によって受け入れられるように構成され、
前記マニホルド部は、使用時に、前記使用者の人中に隣接して位置するように構成された前記ベース部分の領域において、前記顔面取付部の前記ベース部分と前記マニホルド部との間に空隙を確立し、それにより、使用時に、前記マニホルド部から前記使用者の隔壁に作用する圧力をなくす、または少なくとも軽減するための溝を出口においてさらに含む、請求項２０に記載の患者接続器。
【請求項２２】
前記顔面取付部は、前記ベース部の両側から横に延びる翼部分の対を含み、前記翼部分の各々は、各翼の末端部に設けられたクリップ保持体を備え、前記ストラップの終端部の各々は、クリップ要素を備え、前記クリップ保持体は、前記ストラップのクリップ要素を前記鼻カニューレアセンブリに解放可能に連結するように構成されている、請求項２０又は２１に記載の患者接続器。
【請求項２３】
前記クリップ要素が前記クリップ保持体に連結される領域で、使用者の顔面の輪郭に合致するように、前記クリップ要素は、その全長に沿って湾曲した形状を有する、請求項２２に記載の患者接続器。
【請求項２４】
各翼の前記末端部は、前記各翼の接触表面積を拡大するために、外側にテーパを付けられる、請求項２２又は２３に記載の患者接続器。
【外国語明細書】
2019162430000001.pdf